(57)【特許請求の範囲】
【請求項１】
少なくとも２つの周波数レイヤ（Ｆ１、Ｆ２）を展開する無線通信ネットワークの無線ネットワークノード（１０１）における、周波数レイヤ間のセル変更をサポートするための方法であって、
前記無線ネットワークノードは、前記少なくとも２つの周波数レイヤのうちの第１の周波数レイヤ（Ｆ１）のセル内のユーザ端末（１０３）にサービスを提供し、
前記ユーザ端末は、前記第１の周波数レイヤ（Ｆ１）のセルについての測定を実行すると共に前記少なくとも２つの周波数レイヤのうちの第２の周波数レイヤ（Ｆ２）のセルについての測定を除外するように構成され、
前記方法は、
前記第１の周波数レイヤ（Ｆ１）の少なくとも１つのセルについて実行された測定に対する前記ユーザ端末からの測定結果を受信し（６１０）、
受信した前記測定結果に基づいて、前記ユーザ端末の位置を判定し（６２０）、
判定された前記位置と、前記少なくとも２つの周波数レイヤに対するカバレッジマップとに基づいて、前記第２の周波数レイヤ（Ｆ２）のターゲットセルのカバレッジを評価し（６３０）、
前記ターゲットセルのカバレッジの前記評価に基づいて、前記ターゲットセルへ変更するかを判定する（６４０）、
ことを含むことを特徴とする方法。
【請求項２】
判定された前記位置と前記カバレッジマップとに基づく、前記第２の周波数レイヤの前記ターゲットセルの前記カバレッジの評価（６３０）は、判定された前記位置に対応する前記第２の周波数レイヤに対する信号強度または信号品質値を、前記カバレッジマップから得ること（６３１）を含む、
ことを特徴とする請求項１に記載の方法。
【請求項３】
前記カバレッジマップから前記信号強度または前記信号品質値を得ること（６３１）は、前記カバレッジマップを有するネットワークノードから、
−  前記第２の周波数レイヤに対する前記信号強度または前記信号品質値
−  前記第２の周波数レイヤに対する前記信号強度または前記信号品質値と、前記第１の周波数レイヤに対する関連付けられた信号強度または信号品質値との関数であるオフセット
のいずれかを受信することを含む、
ことを特徴とする請求項２に記載の方法。
【請求項４】
前記ターゲットセルへ変更するかの判定（６４０）は、前記ターゲットセルが閾値以上の品質で受信されると評価された場合に、前記ターゲットセルへ変更すると判定することを含む、
ことを特徴とする請求項１から３のいずれか１項に記載の方法。
【請求項５】
前記ターゲットセルが前記閾値より低い品質で受信されると評価された場合に、前記第１の周波数レイヤのセルについての前記測定に基づいて、前記第１の周波数レイヤの中で、モビリティの評価を実行する（６６０）ことをさらに含む、
ことを特徴とする請求項４に記載の方法。
【請求項６】
前記ターゲットセルへ変更すると判定された場合、前記ターゲットセルへ変更するための命令を発行する（６５０）ことをさらに含む、
ことを特徴とする請求項１から５のいずれか１項に記載の方法。
【請求項７】
前記セル変更は、セル再選択、ハンドオーバ、又はリダイレクションを伴う接続解除を含む、
ことを特徴とする請求項１から６のいずれか１項に記載の方法。
【請求項８】
前記第１の周波数レイヤの前記測定されたセルはマルチキャリアネットワークにおけるプライマリセルであり、前記ターゲットセルはマルチキャリアネットワークにおけるセカンダリセルであり、
前記セカンダリセルへ変更するかの判定（６４０）は、前記セカンダリセルのカバレッジの前記評価に基づいて、マルチキャリア動作のために前記セカンダリセルを設定するかを判定することを含む、
ことを特徴とする請求項１から３のいずれか１項に記載の方法。
【請求項９】
少なくとも２つの周波数レイヤ（Ｆ１、Ｆ２）を展開する無線通信ネットワークのユーザ端末（１０３）における、周波数レイヤ間のセル変更をサポートするための方法であって、
前記ユーザ端末は、無線ネットワークノード（１０１）によって、前記少なくとも２つの周波数レイヤのうちの第１の周波数レイヤのセルにおいてサービスを提供されており、前記第１の周波数レイヤ（Ｆ１）のセルについての測定を実行すると共に前記少なくとも２つの周波数レイヤのうちの第２の周波数レイヤ（Ｆ２）のセルについての測定を除外するように構成され、
前記方法は、
前記第１の周波数レイヤ（Ｆ１）の少なくとも１つのセルについての測定を実行し（７１０）、
実行された前記測定の結果に基づいて、前記ユーザ端末の位置を判定し（７２０）、
判定された前記位置と前記少なくとも２つの周波数レイヤに対するカバレッジマップとに基づいて、前記第２の周波数レイヤ（Ｆ２）のターゲットセルのカバレッジを評価し（７３０）、
前記ターゲットセルの評価された前記カバレッジに関する情報を、前記無線ネットワークノードへ送信する（７４０）、
ことを含むことを特徴とする方法。
【請求項１０】
判定された前記位置と前記カバレッジマップとに基づく、前記第２の周波数レイヤの前記ターゲットセルの前記カバレッジの前記評価は、判定された前記位置に対応する前記第２の周波数レイヤに対する信号強度または信号品質値を、前記カバレッジマップから得ること（７３１）を含む、
ことを特徴とする請求項９に記載の方法。
【請求項１１】
前記ターゲットセルの評価された前記カバレッジに関する情報は、得られた前記信号強度または前記信号品質値を含む、
ことを特徴とする請求項１０に記載の方法。
【請求項１２】
前記カバレッジマップは、前記無線ネットワークノードから受信され、又は前記ユーザ端末において保持される、
ことを特徴とする請求項９から１１のいずれか１項に記載の方法。
【請求項１３】
前記第２の周波数レイヤのセルについての測定の実行を伴わない、当該セルのカバレッジの評価を前記ユーザ端末がサポートすることを示す能力を、前記無線ネットワークノードへ送信する（７５０）ことをさらに含む、
ことを特徴とする請求項９から１２のいずれか１項に記載の方法。
【請求項１４】
少なくとも２つの周波数レイヤ（Ｆ１、Ｆ２）を展開する無線通信ネットワークの無線ネットワークノード（１０１）における、周波数レイヤ間のセル変更をサポートするための方法であって、
前記無線ネットワークノードは、前記少なくとも２つの周波数レイヤのうちの第１の周波数レイヤ（Ｆ１）のセル内のユーザ端末（１０３）にサービスを提供し、
前記ユーザ端末は、前記第１の周波数レイヤ（Ｆ１）のセルについての測定を実行すると共に、前記少なくとも２つの周波数レイヤのうちの第２の周波数レイヤ（Ｆ２）のセルについての測定を除外するように構成され、
前記方法は、
前記第２の周波数レイヤ（Ｆ２）のターゲットセルのカバレッジに関する、前記ユーザ端末からの情報を受信し（８１０）、
受信した前記情報に基づいて、前記ターゲットセルへ変更するかを判定する（８２０）、
ことを含むことを特徴とする方法。
【請求項１５】
前記第２の周波数レイヤのセルについての測定の実行を伴わない、当該セルのカバレッジの評価を前記ユーザ端末がサポートすることを示す能力を、当該ユーザ端末から受信する（８３０）ことをさらに含み、
受信した前記能力は、前記ターゲットセルの前記カバレッジに関する情報の、前記ユーザ端末への要求をトリガする、
ことを特徴とする請求項１４に記載の方法。
【請求項１６】
前記ターゲットセルへ変更するかの判定（８２０）は、前記ターゲットセルが閾値以上の品質で受信されると評価される場合に、前記ターゲットセルへ変更するように判定することを含む、
ことを特徴とする請求項１４又は１５に記載の方法。
【請求項１７】
前記ターゲットセルが前記閾値より低い品質で受信されると評価された場合に、前記第１の周波数レイヤのセルについての前記測定に基づいて、前記第１の周波数レイヤの中で、モビリティの評価を実行する（８４０）ことをさらに含む、
ことを特徴とする請求項１６に記載の方法。
【請求項１８】
前記ターゲットセルへ変更すると判定された場合、前記ターゲットセルへ変更するための命令を発行する（８５０）ことをさらに含む、
ことを特徴とする請求項１４から１７のいずれか１項に記載の方法。
【請求項１９】
前記セル変更は、セル再選択、ハンドオーバ、又はリダイレクションを伴う接続解除を含む、
ことを特徴とする請求項１４から１８のいずれか１項に記載の方法。
【請求項２０】
前記第１の周波数レイヤの前記測定されたセルはマルチキャリアネットワークにおけるプライマリセルであり、前記ターゲットセルはマルチキャリアネットワークにおけるセカンダリセルであり、
前記セカンダリセルへ変更するかの判定（８２０）は、前記セカンダリセルのカバレッジの評価に基づいて、マルチキャリア動作のために前記セカンダリセルを設定するかを判定することを含む、
ことを特徴とする請求項１４から１６のいずれか１項に記載の方法。
【請求項２１】
少なくとも２つの周波数レイヤ（Ｆ１、Ｆ２）を展開する無線通信ネットワークのユーザ端末（１０３）における、周波数レイヤ間のセル変更をサポートするための方法であって、
前記ユーザ端末は、アイドルモードにおいて、前記少なくとも２つの周波数レイヤのうちの第１の周波数レイヤのセルに在圏しており、前記第１の周波数レイヤ（Ｆ１）のセルについての測定を実行すると共に前記少なくとも２つの周波数レイヤのうちの第２の周波数レイヤ（Ｆ２）のセルについての測定を除外するように構成され、
前記方法は、
前記第１の周波数レイヤの少なくとも１つのセルについての測定を実行し（９１０）、
実行された前記測定の結果に基づいて、前記ユーザ端末の位置を判定し（９２０）、
判定された前記位置と、前記少なくとも２つの周波数レイヤに対するカバレッジマップとに基づいて、前記第２の周波数レイヤ（Ｆ２）のターゲットセルのカバレッジを評価し（９３０）、
前記ターゲットセルのカバレッジの前記評価に基づいて、当該ターゲットセルへ変更するかを判定する（９４０）、
ことを含むことを特徴とする方法。
【請求項２２】
判定された前記位置と前記カバレッジマップとに基づく、前記第２の周波数レイヤ（Ｆ２）の前記ターゲットセルの前記カバレッジの評価（９３０）は、判定された前記位置に対応する前記第２の周波数レイヤに対する信号強度または信号品質値を、前記カバレッジマップから得る（９３１）ことを含む、
ことを特徴とする請求項２１に記載の方法。
【請求項２３】
少なくとも２つの周波数レイヤ（Ｆ１、Ｆ２）を展開する無線通信ネットワークのための無線ネットワークノード（１０００）であって、
前記無線ネットワークノードは、前記少なくとも２つの周波数レイヤのうちの第１の周波数レイヤのセル内のユーザ端末（１０５０）にサービスを提供するように構成されると共に、周波数レイヤ間のセル変更をサポートするように構成され、
前記ユーザ端末は、前記第１の周波数レイヤのセルについての測定を実行すると共に前記少なくとも２つの周波数レイヤのうちの第２の周波数レイヤのセルについての測定を除外するように構成され、
前記無線ネットワークノードは、前記第１の周波数レイヤの少なくとも１つのセルについて実行された測定に対する測定結果を、前記ユーザ端末から受信するように構成される受信器（１００１）を有し、
前記無線ネットワークノードは、さらに、処理回路（１００２）であって、
受信した前記測定結果に基づいて、前記ユーザ端末の位置を判定し、
判定された前記位置と、前記少なくとも２つの周波数レイヤに対するカバレッジマップとに基づいて、前記第２の周波数レイヤのターゲットセルのカバレッジを評価し、
前記ターゲットセルのカバレッジの前記評価に基づいて、前記ターゲットセルへ変更するかを判定する、
ように構成される処理回路（１００２）を有する、
ことを特徴とする無線ネットワークノード。
【請求項２４】
前記処理回路（１００２）は、判定された前記位置に対応する前記第２の周波数レイヤに対する信号強度または信号品質値を、前記カバレッジマップから得ることにより、判定された前記位置と前記カバレッジマップとに基づいて、前記第２の周波数レイヤの前記ターゲットセルの前記カバレッジを評価するように構成される、
ことを特徴とする請求項２３に記載の無線ネットワークノード。
【請求項２５】
前記処理回路（１００２）は、前記カバレッジマップを有するネットワークノードから、
−  前記第２の周波数レイヤに対する前記信号強度または前記信号品質値
−  前記第２の周波数レイヤに対する前記信号強度または前記信号品質値と、前記第１の周波数レイヤに対する関連付けられた信号強度または信号品質値との関数であるオフセット
のいずれかを受信することにより、前記カバレッジマップから前記信号強度または前記信号品質値を得るように構成される、
ことを特徴とする請求項２４に記載の無線ネットワークノード。
【請求項２６】
前記処理回路（１００２）は、前記ターゲットセルが閾値以上の品質で受信されると評価された場合に、前記ターゲットセルへ変更すると判定するように構成される、
ことを特徴とする請求項２３から２５のいずれか１項に記載の無線ネットワークノード。
【請求項２７】
前記処理回路（１００２）は、さらに、前記ターゲットセルが前記閾値より低い品質で受信されると評価された場合に、前記第１の周波数レイヤのセルについての前記測定に基づいて、前記第１の周波数レイヤの中で、モビリティの評価を実行するように構成される、
ことを特徴とする請求項２６に記載の無線ネットワークノード。
【請求項２８】
前記処理回路（１００２）は、前記ターゲットセルへ変更すると判定された場合、前記ターゲットセルへ変更するための命令を発行するように構成される、
ことを特徴とする請求項２３から２７のいずれか１項に記載の無線ネットワークノード。
【請求項２９】
前記セル変更は、セル再選択、ハンドオーバ、又はリダイレクションを伴う接続解除を含む、
ことを特徴とする請求項２３から２８のいずれか１項に記載の無線ネットワークノード。
【請求項３０】
前記第１の周波数レイヤの前記測定されたセルはマルチキャリアネットワークにおけるプライマリセルであり、前記ターゲットセルはマルチキャリアネットワークにおけるセカンダリセルであり、
前記処理回路（１００２）は、前記セカンダリセルのカバレッジの前記評価に基づいて、マルチキャリア動作のために前記セカンダリセルを設定するかを判定するように適合される、
ことを特徴とする請求項２３から２５のいずれか１項に記載の無線ネットワークノード。
【請求項３１】
少なくとも２つの周波数レイヤ（Ｆ１、Ｆ２）を展開する無線通信ネットワークのためのユーザ端末（１１５０）であって、
前記ユーザ端末は、周波数レイヤ間のセル変更をサポートするように構成されると共に、さらに、無線ネットワークノード（１１００）によって、前記少なくとも２つの周波数レイヤのうちの第１の周波数レイヤのセルにおいてサービスを提供され、前記第１の周波数レイヤのセルについての測定を実行し、かつ、前記少なくとも２つの周波数レイヤのうちの第２の周波数レイヤのセルについての測定を除外するように構成され、
前記ユーザ端末は、処理回路（１１５１）であって、
前記第１の周波数レイヤの少なくとも１つのセルについての測定を実行し、
実行された前記測定の結果に基づいて、前記ユーザ端末の位置を判定し、
判定された前記位置と前記少なくとも２つの周波数レイヤに対するカバレッジマップとに基づいて、前記第２の周波数レイヤのターゲットセルのカバレッジを評価する、
ように構成される、処理回路（１１５１）を有し、
前記ユーザ端末は、さらに、前記ターゲットセルの評価された前記カバレッジに関する情報を、前記無線ネットワークノードへ送信するように構成される送信器（１１５２）を有する、
ことを特徴とするユーザ端末。
【請求項３２】
前記処理回路（１１５１）は、判定された前記位置に対応する前記第２の周波数レイヤに対する信号強度または信号品質値を、前記カバレッジマップから得ることにより、前記第２の周波数レイヤの前記ターゲットセルの前記カバレッジを評価するように構成される、
ことを特徴とする請求項３１に記載のユーザ端末。
【請求項３３】
前記ターゲットセルの評価された前記カバレッジに関して送信される前記情報は、得られた前記信号強度または前記信号品質値を含む、
ことを特徴とする請求項３２に記載のユーザ端末。
【請求項３４】
前記処理回路（１１５１）は、前記カバレッジマップを前記ユーザ端末において保持するように構成され、又は、前記ユーザ端末は、前記無線ネットワークノードから前記カバレッジマップを受信するように構成される受信器（１１５３）をさらに有する、
ことを特徴とする請求項３１から３３のいずれか１項に記載のユーザ端末。
【請求項３５】
前記処理回路（１１５１）は、さらに、前記第２の周波数レイヤのセルについての測定の実行を伴わない、当該セルのカバレッジの評価を前記ユーザ端末がサポートすることを示す能力を、前記無線ネットワークノードへ送信するように構成される、
ことを特徴とする請求項３１から３４のいずれか１項に記載のユーザ端末。
【請求項３６】
少なくとも２つの周波数レイヤ（Ｆ１、Ｆ２）を展開する無線通信ネットワークのための無線ネットワークノード（１１００）であって、
前記無線ネットワークノードは、前記少なくとも２つの周波数レイヤのうちの第１の周波数レイヤのセル内のユーザ端末（１１５０）にサービスを提供すると共に周波数レイヤ間のセル変更をサポートするように構成され、
前記ユーザ端末は、前記第１の周波数レイヤのセルについての測定を実行すると共に前記少なくとも２つの周波数レイヤのうちの第２の周波数レイヤのセルについての測定を除外するように構成され、
前記無線ネットワークノードは、前記第２の周波数レイヤのターゲットセルのカバレッジに関する情報を、前記ユーザ端末から受信するように構成される受信器（１１０１）と、受信した前記情報に基づいて、前記ターゲットセルへ変更するかを判定するように構成される処理回路（１１０２）と、を有する、
ことを特徴とする無線ネットワークノード。
【請求項３７】
前記受信器（１１０１）は、さらに、前記第２の周波数レイヤのセルについての測定の実行を伴わない、当該セルのカバレッジの評価を前記ユーザ端末がサポートすることを示す能力を、当該ユーザ端末から受信するように構成され、
前記処理回路（１１０２）は、受信した前記能力によりトリガされ、前記ターゲットセルの前記カバレッジに関する情報を、前記ユーザ端末に対して要求するように構成される、
ことを特徴とする請求項３６に記載の無線ネットワークノード。
【請求項３８】
前記処理回路（１１０２）は、前記ターゲットセルが閾値以上の品質で受信されると評価される場合に、前記ターゲットセルへ変更するように判定するように構成される、
ことを特徴とする請求項３６又は３７に記載の無線ネットワークノード。
【請求項３９】
前記処理回路（１１０２）は、さらに、前記ターゲットセルが前記閾値より低い品質で受信されると評価された場合に、前記第１の周波数レイヤのセルについての前記測定に基づいて、前記第１の周波数レイヤの中で、モビリティの評価を実行するように構成される、
ことを特徴とする請求項３８に記載の無線ネットワークノード。
【請求項４０】
前記処理回路（１１０２）は、さらに、前記ターゲットセルへ変更すると判定された場合、セルを変更するための命令を発行するように構成される、
ことを特徴とする請求項３６から３９のいずれか１項に記載の無線ネットワークノード。
【請求項４１】
前記セル変更は、セル再選択、ハンドオーバ、又はリダイレクションを伴う接続解除を含む、
ことを特徴とする請求項３６から４０のいずれか１項に記載の無線ネットワークノード。
【請求項４２】
前記第１の周波数レイヤの前記測定されたセルはマルチキャリアネットワークにおけるプライマリセルであり、前記ターゲットセルはマルチキャリアネットワークにおけるセカンダリセルであり、
前記処理回路（１１０２）は、前記セカンダリセルのカバレッジの評価に基づいて、マルチキャリア動作のために前記セカンダリセルを設定するかを判定するように適合される、
ことを特徴とする請求項３６から３８のいずれか１項に記載の無線ネットワークノード。
【請求項４３】
少なくとも２つの周波数レイヤを展開する無線通信ネットワークのためのユーザ端末（１２５０）であって、前記ユーザ端末は、周波数レイヤ間のセル変更をサポートし、アイドルモードにおいて前記少なくとも２つの周波数レイヤのうちの第１の周波数レイヤのセルに在圏し、かつ、前記第１の周波数レイヤのセルについての測定を実行すると共に前記少なくとも２つの周波数レイヤのうちの第２の周波数レイヤのセルについての測定を除外するように構成され、
前記ユーザ端末は、メモリ（１２５１）及び処理回路（１２５２）であって、
前記第１の周波数レイヤの少なくとも１つのセルについての測定を実行し、
実行された前記測定の結果に基づいて、前記ユーザ端末の位置を判定し、
判定された前記位置と、前記少なくとも２つの周波数レイヤに対するカバレッジマップとに基づいて、前記第２の周波数レイヤのターゲットセルのカバレッジを評価し、
前記ターゲットセルのカバレッジの前記評価に基づいて、当該ターゲットセルへ変更するかを判定する、
ように構成されるメモリ（１２５１）及び処理回路（１２５２）を有する、
ことを含むことを特徴とするユーザ端末。
【請求項４４】
前記処理回路（１２５２）は、判定された前記位置に対応する前記第２の周波数レイヤに対する信号強度または信号品質値を、前記カバレッジマップから得ることにより、前記第２の周波数レイヤの前記ターゲットセルの前記カバレッジを評価するように構成される、
ことを特徴とする請求項４３に記載のユーザ端末。
【発明の詳細な説明】
【技術分野】
【０００１】
本開示は、セルの変更に関し、より詳細には、ＵＥと、少なくとも２つの周波数レイヤを展開する無線通信ネットワークの無線ネットワークノードとの少なくともいずれかにおける、周波数レイヤ間のセル変更をサポートするための方法に関する。本開示はまた、セル変更をサポートするように構成されたＵＥおよび無線ネットワークノードに関する。
【背景技術】
【０００２】
３ＧＰＰのロングタームエボリューション（ＬＴＥ）は、高データレート、高効率、及び低コストのような、改善されるサービスの点において、将来の要求条件に対処するために、ユニバーサル移動体通信システム（ＵＭＴＳ）標準を改善するために、第３世代パートナシッププロジェクト（３ＧＰＰ）の中で開発された第４世代移動通信技術の規格である。どちらも高速パケットアクセス（ＨＳＰＡ）と呼ばれる、高速ダウンリンクパケットアクセス（ＨＳＤＰＡ）および高速アップリンクパケットアクセス（ＨＳＵＰＡ）もまた、初期のＵＭＴＳプロトコルが可能なものよりも更に高速なデータレートに対処するために開発された移動通信プロトコルである。ユニバーサル地上無線アクセス（ＵＴＲＡ）ネットワーク（ＵＴＲＡＮ）は、ＵＭＴＳの無線アクセスネットワークであり、エボルブドＵＴＲＡＮ（Ｅ−ＵＴＲＡＮ）は、ＬＴＥシステムの無線アクセスネットワークである。ＵＴＡＮおよびＥ−ＵＴＲＡＮにおいては、ユーザ端末（ＵＥ）は、ＵＭＴＳではノードＢ（ＮＢ）と呼ばれ、ＬＴＥにおいては、エボルブドノードＢ（ｅＮｏｄｅＢまたはｅＮＢ）と呼ばれる、無線基地局（ＲＢＳ）に無線で接続される。ＲＢＳは、ＵＥに無線信号を送信し、ＵＥによって送信された信号を受信することができる無線ネットワークノードに対する一般的な呼称である。
【０００３】
図１ａは、セル１０５の中のＵＥ１０３にサービスを提供しているＲＢＳ１０１を有する無線アクセスネットワークを示している。３Ｇシステムとも呼ばれるＵＭＴＳでは、無線ネットワーク制御装置（ＲＮＣ）１０６は、ＲＢＳ１０１と他の近隣のＲＢＳとを制御し、特に、ＲＮＣが責任を持つ複数のセルにおける無線リソースの管理を担当する。ＲＮＣは、また同様に、コアネットワークに接続される。２Ｇシステムとも呼ばれるＧＳＭ（登録商標）では、ＲＢＳ１０１を制御するノードは、基地局制御装置（ＢＳＣ）１０６と呼ばれる。図１ｂは、４Ｇシステムとも呼ばれるＬＴＥシステムにおける、無線アクセスネットワークを示している。ｅＮＢ１０１ａは、セル１０５ａの中のＵＥ１０３にサービスを提供する。ｅＮＢ１０１ａは、直接コアネットワークに接続される。基地局１０１ａはまた、他のセル１０５Ｂにサービスを提供する隣接基地局１０１ｂと、Ｘ２インタフェースを介して接続される。
【０００４】
モビリティに対する信号測定
ＵＥによって実行される信号測定は、さまざまな目的のために使用することができる。特に、これらの測定は、セル選択と再選択、ハンドオーバのようなモビリティ関連のタスクに使用されてもよく、測位、自己組織化ネットワーク（ＳＯＮ）の管理、ネットワーク計画、およびドライブテストの最小化（ＭＤＴ）に対しても使用することができる。信号強度、および信号品質は、信号測定に使用される一般的なパラメータである。
【０００５】
ＵＴＲＡＮでは、以下の３つのダウンリンクの近隣セル測定が、主として、モビリティ目的のために仕様化されている。
−  共通パイロットチャネル（ＣＰＩＣＨ）の受信信号符号電力（ＲＳＣＰ）。
−  ＵＴＲＡキャリアの受信信号強度インジケータ（ＲＳＳＩ）。
−  ＣＰＩＣＨのＥｃ／Ｎｏ、ここで、ＣＰＩＣＨのＥｃ／Ｎｏ＝ＣＰＩＣＨのＲＳＣＰ／キャリアのＲＳＳＩである。
【０００６】
ＲＳＣＰは、ＣＰＩＣＨを使用して、セルレベルで、ＵＥによって測定される。ＵＴＲＡキャリアのＲＳＳＩは、キャリア全体にわたって測定される。これは、同一のキャリアにおけるサービングセルを含む全てのセルからの、送受信電力と雑音に対応する。上記のＣＰＩＣＨ測定は、モビリティの判定のために使用される主要な量である。
【０００７】
Ｅ−ＵＴＲＡＮにおいては、次の２つのダウンリンク近隣セル測定が、同様に主としてモビリティ目的のために、仕様化されている。
−  参照シンボル受信電力（ＲＳＲＰ）。
−  参照シンボル受信品質（ＲＳＲＱ）、ここで、ＲＳＲＱ＝ＲＳＲＰ／キャリアのＲＳＳＩである。
【０００８】
Ｅ−ＵＴＲＡＮにおけるＲＳＲＰは、参照シンボル（ＲＳ）を使用して、セルレベルでＵＥだけによって測定される。Ｅ−ＵＴＲＡキャリアＲＳＳＩは、設定された測定帯域幅からキャリア全帯域幅までにわたって、測定される。また、ＲＳＳＩは、同じキャリアでの、サービングセルを含む全てのセルからの総受信電力および雑音である。これら２つのＲＳに基づく測定もまた、モビリティ判定のために使用される可能性がある主要な量である。
【０００９】
ＧＳＭでは、以下の測定が仕様化されている。
−  ＧＳＭブロードキャストチャネル（ＢＣＣＨ）のキャリアＲＳＳＩ。
【００１０】
ＣＤＭＡ−２０００  １ｘＲＴＴは、符号分割多元接続（ＣＤＭＡ）に基づく第３世代無線技術である。ＣＤＭＡ−２０００  １ｘＲＴＴは、国際電気通信連合（ＩＴＵ）によって開発されたＩＭＴ−２０００規格のＣＤＭＡバージョンである。ＣＤＭＡ−２０００  １ｘＲＴＴシステムでは、モビリティのために以下の品質測定が仕様化されている。
−  ＣＤＭＡ２０００  １ｘＲＴＴパイロット強度。
【００１１】
ＣＤＭＡ−２０００の高速パケットデータ（ＨＲＰＤ）システムでは、モビリティに対する次の品質測定が仕様化されている。
−  ＣＤＭＡ２０００  ＨＲＤＰパイロット強度。
【００１２】
ＩＥＥＥ８０２．１６は、電気電子技術者協会（ＩＥＥＥ）によって規格化された無線ブロードバンド規格のシリーズである。ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のＩＥＥＥ８０２．１６システムでは、以下の測定がモビリティのために使用される。
−  ＷｉＭＡＸプリアンブルキャリア対干渉および雑音比（ＣＩＮＲ）。
−  ＷｉＭＡＸ  ＲＳＳＩ。
【００１３】
ＷｉＭＡＸプリアンブルＣＩＮＲは、特定の基地局についてＵＥが測定する、ＷｉＭＡＸダウンリンクプリアンブルのＣＩＮＲである。この測定量によって、干渉及び雑音レベル、および信号強度を含む受信器の実際の動作状態に関する情報が提供される。従って、この量は、セル品質を表し、それぞれ、Ｅ−ＵＴＲＡＮおよびＵＴＲＡＮにおける、ＲＳＲＱおよびＣＰＩＣＨ  Ｅｃ／Ｎｏに相当する。
【００１４】
ＷｉＭＡＸのＲＳＳＩは、特定の基地局についてのダウンリンクプリアンブルからＵＥによって測定される受信信号強度インジケータである。これは、信号強度測定値、ＵＴＲＡＮにおけるＲＳＣＰまたはＥ−ＵＴＲＡＮにおけるＲＳＲＰに相当する。
【００１５】
近隣セルの測定値は、典型的には、高速フェージングの影響を除外するために、長い期間にわたって平均化される。測定値は、例えば、２００ミリ秒、更にはそれ以上も長いオーダの時間で平均化することができる。特定の最小数のセルについてのＥ−ＵＴＲＡＮにおけるＲＳＲＰとＲＳＲＱ等の隣接セルの測定を行い、その報告を行うことに関するＵＥに対する要求も存在する。ＵＴＲＡＮおよびＥ−ＵＴＲＡＮの双方において、この要求は、サービングキャリア周波数で、１つのサービングセルと７つの近隣セルとを含む８つのセルを測定することである。このような測定は、一般に、周波数内測定と呼ばれる。
【００１６】
タイミング測定
ＬＴＥでは、ＵＥのタイミング測定は、例えば、フィンガプリンティング測位、および観測到来時間差（ＯＴＤＯＡ）のために使用される。しかしながら、このような測定は、モビリティ目的、ネットワーク計画、ＳＯＮ、およびＭＤＴのために使用されてもよい。
【００１７】
ＬＴＥにおいて、次に示す衛星に基づかないＵＥタイミング測定が現在標準化されており、これらは少なくとも測位目的で使用することができる。
−  現在、周波数内測定に対してのみ定義されている、ＵＥのＲｘ〜Ｔｘの時間差。ＵＥのＲｘ〜Ｔｘの時間差は、ＴＵＥ−Ｒｘ〜ＴＵＥ−Ｔｘとして定義され、ＴＵＥ−Ｒｘはサービングセルからのｉ番目のダウンリンク無線フレームをＵＥが受信するタイミングであり、ＴＵＥ−Ｔｘは、ＵＥがｉ番目のアップリンク無線フレームを送信するタイミングである。
−  周波数内および周波数間測定に対して定義される参照信号時間差（ＲＳＴＤ）。ＲＳＴＤは、近隣セルｊと参照セルｉとの間の相対的なタイミング差であり、ＴＳｕｂｆｒａｍｅＲｘｊ−ＴＳｕｂｆｒａｍｅＲｘｉとして定義される。ＴＳｕｂｆｒａｍｅＲｘｊは、ＵＥがセルｊから１つのサブフレームの開始を受信する時間であり、ＴＳｕｂｆｒａｍｅＲｘｉは、セルｊから受信するサブフレームに時間的に最も近い、セルｉからの１つのサブフレームの対応する開始を受信する時間である。観測されるサブフレーム時間差の基準点は、ＵＥのアンテナコネクタでなければならない。
【００１８】
ＵＴＲＡＮにおいて、次に示す衛星に基づかないタイミング測定が、現在標準化されており、測位のために使用されうる（非特許文献１、５．１．８〜５．１．１０、５．２．１０、５．２．８、５.２.１０、５.２.１４節）。
−  ＵＥ測定（非特許文献１、５.１.８〜５.１.１０節）。
・    ＳＦＮ−ＣＦＮ観測時間差。
・    ＳＦＮ−ＳＦＮ観測時間差。
・    ＵＥのＲｘ〜Ｔｘ時間差。
−  ＵＴＲＡＮ測定（非特許文献１、５.２.８、５.２.１０、５.２.１４節）。
・    ラウンドトリップタイム。
・    ＰＲＡＣＨ伝搬遅延。
・    ＳＦＮ−ＳＦＮ観測時間差。
【００１９】
モビリティのシナリオ
基本的に、２種類のＵＥのモビリティ状態がある。
−  セル再選択等の低活動状態モビリティ。
−  ハンドオーバ、セル変更命令、接続解除に続く無線リソース制御（ＲＲＣ）リダイレクション等の接続状態モビリティ。
【００２０】
ＬＴＥにおいては、アイドル状態と呼ばれる唯一の低活動モビリティ状態が存在する。ＨＳＰＡにおいては、次の低活性活動状態がある。
−  アイドル状態。
−  ＵＲＡ＿ＰＣＨ状態（ＵＴＲＡＮ登録エリアページングチャネル状態）。
−  ＣＥＬＬ＿ＰＣＨ状態（セルページングチャネル状態）。
−  ＣＥＬＬ＿ＦＡＣＨ状態（セルフォワードセルアクセスチャネル状態）。
【００２１】
ＨＳＰＡシステムでは、少なくとも１つの個別チャネル（ＤＣＨ）が、少なくとも無線リンク品質を維持するために動作中であるので、接続状態は、ＣＥＬＬ＿ＤＣＨ状態とも呼ばれる。
【００２２】
いずれの低活動状態でも、ＵＥは、ネットワークの直接的な介入なしに、自律的にセル再選択を行う。しかし、それでもなお、低活動モビリティ状態のシナリオにおけるＵＥの動作は、ある程度、多くのブロードキャストされたシステムパラメータおよび動作仕様によって制御される可能性がある。一方、ハンドオーバは、ＵＥに固有の明示的なコマンドを通じてネットワークによって、そして動作仕様によって、全面的に制御される。同様に、接続解除に続くＲＲＣリダイレクションメカニズムは、ネットワークによって使用され、これにより、サービングセルの無線アクセス技術（ＲＡＴ）または別のＲＡＴに属しうる別のセルへ変更するように、ＵＥをリダイレクトする。この場合、ＵＥは、典型的には、「接続解除後のＲＲＣリダイレクション」コマンドを受信してアイドル状態に入り、指示されたセルまたはＲＡＴを探して、その新しいセルまたはＲＡＴにアクセスする。
【００２３】
低活動状態と接続状態の両方で、モビリティの決定は、主として、上述した同じ種類のダウンリンクの近隣セル測定に基づいて行われる。
【００２４】
ＵＴＲＡＮおよびＥ−ＵＴＲＡＮは、共に、周波数再利用１システムである。これは、地理的に最も近いセルまたは隣接する近隣セルが同一のキャリア周波数で動作することを意味する。事業者はまた、同一のカバレッジ内で複数の周波数レイヤまたはキャリアを展開しうる。従って、ＵＴＲＡＮおよびＥ−ＵＴＲＡＮのどちらにおいても、アイドルモードモビリティおよび接続モードモビリティは、大きく分けて３つの主なカテゴリーに分類することができる。
−  低活動状態および接続状態に対する周波数内モビリティ。
−  低活動状態および接続状態に対する周波数間モビリティ。
−  低活動状態および接続状態に対するＲＡＴ間モビリティ。
【００２５】
周波数内モビリティでは、ＵＥは、同一のキャリア周波数に属するセル間を移動する。これは、モビリティの測定がチャネル受信と並行して行うことができるため、遅延の観点から低コストしか要求しないことから、最も重要なモビリティシナリオである。事業者は、事業者が効率的に利用されることを望む配置において、少なくとも１つのキャリアを有するだろう。
【００２６】
周波数間モビリティにおいては、ＵＥは、同一のＲＡＴではあるが、異なるキャリア周波数に属するセルの間を移動する。これは２番目に重要なシナリオと考えることもできよう。
【００２７】
ＲＡＴ間モビリティにおいては、ＵＥは、例えば、ＵＭＴＳからＧＳＭへ若しくはその逆、またはＵＭＴＳからＬＴＥへ若しくはその逆のように、異なるＲＡＴに属するセルの間を移動する。
【００２８】
測位方法
次に示す測位方法が、制御プレーンおよびユーザプレーンの両方の解決策について、ＨＳＰＡおよびＬＴＥ標準において、利用可能であるか、または導入される可能性がある。
−  フィンガプリンティングまたはパターンマッチング。
−  セル識別（ＣＩＤ）。
−  ネットワークベースの到来角（ＡｏＡ）を含む、ＵＥアシスト型およびネットワークベースの拡張ＣＩＤ（Ｅ−ＣＩＤ）。
−  アシスト型全地球測位システム（Ａ−ＧＰＳ）を含む、ＵＥベースおよびＵＥアシスト型の、アシスト型全地球航法衛星システム（Ａ−ＧＮＳＳ）。
−  ＵＥアシスト型のＯＴＤＯＡ。
これらの内のいくつかを、より詳細に説明する。
【００２９】
フィンガプリンティングまたはパターンマッチング
フィンガプリンティングまたはパターンマッチングに基づく測位方法は、２つの主要な段階（フェーズ）によって特徴付けられる。オフライン段階である第１の段階の間に、サイト調査を行うことにより、位置フィンガプリンティントが作成される。サイトまたはカバレッジエリアは、矩形の格子点によって細分割される。オフラインの段階で、サービングセルおよび複数の近隣セルからの、受信信号強度、信号品質、行路損失、到着時間差、等のような１つ以上のタイプの測定が実行される。すなわち、以前の節で挙げたＵＥ測定を使用することができる。得られた測定値の統計が、値が格子の点にマッピングされる、所定の測定値を含むデータベース、または２次元のテーブルを作成するのに使用される。従って、格子点における測定値のベクトルは、その点の位置フィンガプリントと呼ばれる。オフライン段階における測定は、セル検出および検出されたセルに対する要求される測定を実行することが可能な、移動体端末を用いることにより又は適切な専用装置によって行うことができる。従って、オフライントレーニング段階の目的は、移動ユーザの位置プロファイルを作成することである。第２段階またはいわゆるオンライン段階の間に、位置を判定されるべき移動体端末が、サービングセルおよび近隣セルからの、受信信号強度等のような、測定を実行する。そして、測位ノードは、移動体の報告された測定と、予め定義されたデータベースにおける位置フィンガプリントに対応する測定との間の最もよいマッチングを取ることにより、ユーザの位置、すなわち、移動体端末の位置を算出する。そして、最もよくマッチした位置フィンガプリントが、推定された位置として移動体端末に報告される。
【００３０】
Ｅ−ＣＩＤ測位
Ｅ−ＣＩＤ測位は、セル識別子（ＣＩＤ）を用いた複雑度が低くかつ高速な測位の利点を利用するものであり、識別子に関連する地理的エリアのネットワークが有する知識を利用する一方で、より多くの測定タイプをさらに用いて測位を強化する。Ｅ−ＣＩＤでは、位置情報のソースである、ＣＩＤ、およびそれに関連するサービングセルの地理的の記述、サービングセルのタイミングアドバンス（ＴＡ）、ＣＩＤおよびそれに対応する複数のセル（ＬＴＥではサービングセルを含めて最大３２セル）の信号測定、および到来角（ＡｏＡ）測定、が関わっている。
【００３１】
ＬＴＥでは、ＵＥの測定である、ＲＳＲＰ、ＲＳＲＱ、及びＵＥのＲｘ−Ｔｘ時間差、を、Ｅ−ＣＩＤのために利用することができる。Ｅ−ＣＩＤに対して利用可能なＥ−ＵＴＲＡＮ測定は、ＴＡタイプ２とも呼ばれるｅＮｏｄｅＢのＲｘ〜Ｔｘ時間差、（ｅＮｏｄｅＢのＲｘ−Ｔｘ時間差）＋（ＵＥのＲｘ−Ｔｘ時間差）であるＴＡタイプ１、およびアップリンク（ＵＬ）ＡｏＡである。ＵＥのＲｘ〜Ｔｘは、典型的には、サービングセルに対して使用され、一方で、ＲＳＲＰ、ＲＳＲＱおよびＡｏＡは、何れのセルに対しても使用することができ、サービングセルの周波数とは異なる周波数で実行することもできる。
【００３２】
ＵＥのＥ−ＣＩＤ測定は、エボルブドＳＭＬＣ（Ｅ−ＳＭＬＣ）、またはＬＴＥにおけるセキュアユーザプレーンロケーション（ＳＵＰＬ）ロケーションプラットフォーム（ＳＬＰ）のような測位サーバに、ＬＴＥ測位プロトコル（ＬＰＰ）を通じてＵＥが報告する。Ｅ−ＵＴＲＡＮのＥ−ＣＩＤ測定は、ＬＰＰアネックスプロトコル（ＬＰＰａ）を通じてｅＮｏｄｅＢが測位ノードに報告する。
【００３３】
ＵＥは、ネットワークからアシスタンスデータを受け取ってもよい。しかし、Ｅ−ＣＩＤに対するＬＰＰアシスタンスは、現在のところ、標準仕様化されてはいない。
【００３４】
ＯＴＤＯＡ測位
ＯＴＤＯＡ測位方法は、ＵＥにおいて複数のｅＮｏｄｅＢから受信されたダウンリンク信号の観測タイミングを利用する。ＵＥは、測位ノードから受信したアシスタンスデータを使用して、受信信号のタイミングを測定し、測定結果は、近隣ｅＮｏｄｅＢに関連するＵＥの測位に用いられる。
【００３５】
ＵＥは、ＯＴＤＯＡを使用して、複数の異なる場所から受信されたダウンリンク参照信号についてのタイミング差を測定する。ＵＥは、各近隣セルに対して、近隣セルと参照セルとの間の相対的タイミング差であるＲＳＴＤを測定する。その後、ＵＥの位置推定値が、測定されたＲＳＴＤに対応する双曲線の交点として見いだされる。端末の２つの座標と受信器クロックバイアスについて解くには、良好な配置を有する基地局であって、地理的に分散している基地局からの、少なくとも３つの測定値が必要である。位置を求めるには、送信器位置および送信タイミングオフセットに関する正確な知識が必要である。
【００３６】
ＬＴＥにおける測位を可能にし、適切な品質で、また、十分に多くの数の異なる場所についての位置の測定を促進するために、測位に専用の物理信号、いわゆる測位参照信号（ＰＲＳ）が導入されており、３ＧＰＰでは低干渉測位サブフレームが規定されている。
【００３７】
ＰＲＳは、所定のパターンに従って１つのアンテナポート（Ｒ６）から送信される。６回の効果的な周波数再利用をモデル化する直交パターンを生成するために、物理セルアイデンティティ（ＰＣＩ）の関数である周波数シフトを特定のＰＲＳに適用することができ、測定するＰＲＳにおける近隣セルの干渉を大幅に低減し、従って測位測定を改善することが可能となる。ＰＲＳは、位置測定に特化して設計され、一般的には、他の参照信号より良好な品質で特徴づけられるが、標準は、ＰＲＳの使用を義務付けてはいない。他の参照信号も、原理的には、位置測定に使用することができる。
【００３８】
ＰＲＳは、いくつかの連続したサブフレームによってグループ化された所定の測位サブフレームにおいて、すなわち、１回の測位の契機で送信される。測位契機は、Ｎ個のサブフレームの特定の周期、すなわち２つの測位契機の間の時間間隔、で周期的に生じる。標準化された周期Ｎは、１６０、３２０、６４０、および１２８０ｍｓであり、連続したサブフレームの数は、１、２、４、または６でありうる。
【００３９】
キャリアアグリゲーション
技術の範囲内でピークレートを高めるために、マルチキャリア、またはキャリアアグリゲーション（ＣＡ）の解決策が知られている。例えば、ＨＳＰＡにおいて複数の５ＭＨｚキャリアを使用して、ＨＳＰＡシステムの範囲内でピークレートを高めることができる。同様に、ＬＴＥにおいては、例えば複数の２０ＭＨｚキャリアをＵＬとＤＬとの少なくともいずれかにおいて集約することができる。マルチキャリアシステムまたはＣＡシステムにおける各キャリアは一般的にはコンポーネントキャリア（ＣＣ）、場合によってはセルと呼ばれる。簡単に言えば、ＣＣは、マルチキャリアシステムにおける個々のキャリアを意味する。ＣＡは、場合によっては、マルチセル動作、マルチキャリア動作、またはマルチキャリア送信および／または受信と呼ばれる。これは、信号およびデータをＵＬおよびＤＬの中で送信するのにＣＡを使用することができることを意味している。ＣＡ展開において、ＣＣの内の１つは、プライマリＣＣ／セル、またはアンカＣＣ／セルであり、一方で、残りのＣＣは、セカンダリＣＣ／セル、または補助ＣＣ／セルと呼ばれる。一般に、プライマリＣＣ／セル、またはアンカＣＣ／セルは、ＵＥに特化した必須のシグナリングを運ぶ。プライマリＣＣ／セルは、ＵＬおよびＤＬのどちらにおいても存在する。ネットワークは、同じセクタまたはセルの中で動作する異なるＵＥに、異なるプライマリＣＣ／セルを割り当てることができる。
【００４０】
ＣＡシステムに属するＣＣ／セルは、同一の周波数バンドに属する、いわゆるバンド内ＣＡであってもよいし、異なる周波数バンドにも属する、いわゆるバンド間ＣＡであってもよいし、または、バンドＡの２つのＣＣ／セルとバンドＢの１つのＣＣ／セルのような、それらの任意の組み合わせでもよい。２つのバンドに分散したＣＣ／セルを含むバンド間ＣＡは、ＨＳＰＡにおいてはデュアルバンド−デュアルキャリアＨＳＤＰＡ（ＤＢ−ＤＣ−ＨＳＤＰＡ）とも呼ばれ、ＬＴＥにおいてはバンド間ＣＡと呼ばれる。更に、バンド内ＣＡにおけるＣＣ／セルは、周波数領域で、隣接していてもよいし、バンド内非隣接ＣＡとしても知られる、非隣接であってもよい。バンド内隣接、バンド内非隣接、およびバンド間を含むハイブリッドＣＡも可能である。異なる技術のキャリアの間のキャリアアグリゲーションを使用することは、マルチＲＡＴ  ＣＡ、マルチＲＡＴマルチキャリアシステム、または簡単に、ＲＡＴ間ＣＡとも呼ばれる。例えば、ＵＭＴＳおよびＬＴＥからのキャリアが集約されてもよい。別の例は、ＬＴＥおよびＣＤＭＡ２０００のキャリアの集約である。明確にするために、上述のように同一の技術の範囲内でのＣＡを、ＲＡＴ内ＣＡまたは簡単に、単一ＲＡＴ  ＣＡと呼んでもよい。
【先行技術文献】
【非特許文献】
【００４１】
【非特許文献１】３ＧＰＰ  ＴＳ２５．２１５、ｖ１０．０．０
【発明の概要】
【発明が解決しようとする課題】
【００４２】
課題の記述
３ＧＰＰリリース８のマルチモードＵＥが、ＣＥＬＬ＿ＤＣＨ状態においてＵＴＲＡからＥ−ＵＴＲＡへの測定をサポートすることは義務ではない。このような測定をＵＥがサポートするかを示すことができる、機能グループインジケータが存在する。従って、ネットワークは、ＵＥをＥ−ＵＴＲＡＮセルにハンドオーバまたはリダイレクトさせる時を決定する基準として、ＵＥによって実行されるＥ−ＵＴＲＡＮ測定を有さなくてもよい。従って、この判定はブラインドになり、ＵＥがリダイレクションを伴うハンドオーバまたは接続解除コマンドを受けた時に存在するエリアにおいてＥ−ＵＴＲＡＮセルのカバレッジが悪い場合には、ＵＥは、ＵＴＲＡＮまたはＧＳＭに強制的に返されることになる可能性がある。
【００４３】
更に、３ＧＰＰリリース８〜１０においては、ＣＥＬＬ＿ＦＡＣＨ状態にあるＵＥに対しては、ＵＴＲＡからＥ−ＵＲＡへの測定はサポートされていない。従って、ＵＴＲＡＮセルに在圏しているＣＥＬＬ＿ＦＡＣＨ状態にいるＵＥは、Ｅ−ＵＴＲＡＮセルを再選択することができない。同時に、ＵＥは、標準化の時に初期に仮定されていた時間よりも長い時間、ＣＥＬＬ＿ＦＡＣＨ状態に留まる可能性のあることが観測されている。従って、ＵＥは、優先度がより高いＥ−ＵＴＲＡＮキャリアの良好なカバレッジの中にあるかもしれないにもかかわらず、ＵＴＲＡから抜け出せない可能性がある。
【００４４】
Ｅ−ＵＴＲＡＮアクセスから回線交換ドメインのサービスをサポートすることができるＧＳＭまたはＵＴＲＡＮのような別のＲＡＴのアクセスへ、ＵＥがどのように無線を切り替えることができるかを規定することで、ＵＥが回線交換ドメインのサービスを再利用することを可能とするために、３ＧＰＰリリース８において回線交換フォールバック（ＣＳＦＢ）が導入されている。ＣＳＦＢシナリオでは、ＵＥは、Ｅ−ＵＴＲＡＮセルに接続され又は在圏しており、着信呼を受信した時に、例えばＵＴＲＡＮセルにリダイレクトされる。このＵＴＲＡＮセルは、ＵＥによって測定されていなかった可能性があり、中断時間を最小にするために、ｅＮＢは、ＵＴＲＡＮの中のターゲットセルのためにシステム情報をトンネリングさせることができる。しかしながら、ＵＥは、なおもセルを検出する必要がある。複数の近隣ＵＴＲＡＮセルが存在する場合に、ＵＥが、ターゲットセルを、そのキャリアにおいて最も強いセルであると受け取らなかった場合には、ＵＥがそのターゲットセルを見いだすまでにある程度の時間がかかるかもしれない。
【課題を解決するための手段】
【００４５】
従って、本発明は、上記で述べた問題点のいくつかを解決し、周波数レイヤまたはキャリア間のセル変更の手順を改善するための解決策を提供することを目的とする。この目的その他は、独立請求項に従った方法、無線ネットワークノード及びＵＥ、並びに従属請求項に従った実施形態によって達成される。
【００４６】
第１の実施形態によれば、少なくとも２つの周波数レイヤを展開する無線通信ネットワークの無線ネットワークノードにおける方法が提供される。無線ネットワークノードは、少なくとも２つの周波数レイヤの第１の周波数レイヤのセル内のユーザ端末にサービスを提供する。ユーザ端末は、第１の周波数レイヤのセルについて測定を実行し、少なくとも２つの周波数レイヤの第２周波数レイヤのセルについての測定を除外するように構成されている。周波数レイヤ間のセル変更をサポートするための方法は、第１の周波数レイヤの少なくとも１つのセルについて実行された測定に対して、測定結果をユーザ端末から受信することを含む。本方法は、受信した測定結果に基づいてユーザ端末の位置を判定することを含む。本方法はまた、判定された位置と、少なくとも２つの周波数レイヤに対するカバレッジマップとに基づいて、第２の周波数レイヤのターゲットセルのカバレッジを評価することを含む。更に、本方法は、ターゲットセルのカバレッジの評価に基づいて、ターゲットセルへ変更するかを判定することを含む。
【００４７】
第２の実施形態によれば、少なくとも２つの周波数レイヤを展開する無線通信ネットワークに対する無線ネットワークノードが提供される。無線ネットワークノードは、少なくとも２つの周波数レイヤの第１の周波数レイヤのセル内のユーザ端末にサービスを提供し、周波数レイヤ間のセル変更をサポートするように構成される。ユーザ端末は、第１の周波数レイヤのセルについて測定を実行し、少なくとも２つの周波数レイヤの第２の周波数レイヤのセルについての測定は除外するように構成される。無線ネットワークノードは、ユーザ端末から、第１の周波数レイヤの、少なくとも１つのセルについて実行された測定に対して、測定結果を受信するように構成された受信器を備える。無線ネットワークノードは、受信した測定結果に基づいてユーザ端末の位置を判定し、判定された位置および少なくとも２つの周波数レイヤに対するカバレッジマップに基づいてターゲットセルのカバレッジを評価するように構成される処理回路を更に備える。処理回路は、ターゲットセルカバレッジの評価に基づいてターゲットセルへ変更するかを判定するように更に構成される。
【００４８】
第３の実施形態によれば、少なくとも２つの周波数レイヤを展開する無線通信ネットワークのユーザ端末における方法が提供される。ユーザ端末は、少なくとも２つの周波数レイヤの第１の周波数レイヤのセルにおいて無線ネットワークノードによってサービスが提供され、第１の周波数レイヤのセルについて測定を実行し、少なくとも２つの周波数レイヤの第２の周波数レイヤのセルについての測定は除外するように構成される。周波数レイヤ間のセル変更をサポートするための方法は、第１の周波数レイヤの少なくとも１つのセルについて測定を実行することと、実行された測定の結果に基づいて、ユーザ端末の位置を判定することとを含む。本方法は、判定された位置と少なくとも２つの周波数レイヤに対するカバレッジマップとに基づいて、第２の周波数レイヤのターゲットセルのカバレッジを評価することを更に含む。本方法はまた、ターゲットセルの評価されたカバレッジに関する情報を無線ネットワークノードに送信することを更に含む。
【００４９】
更に、第３の実施形態によれば、少なくとも２つの周波数レイヤを配置する無線通信ネットワークの無線ネットワークノードにおける方法が提供される。無線ネットワークノードは、少なくとも２つの周波数レイヤの第１の周波数レイヤのセル内のユーザ端末にサービスを提供する。ユーザ端末は、第１の周波数レイヤのセルについての測定を実行し、少なくとも２つの周波数レイヤの第２の周波数レイヤのセルについての測定は除外するように構成される。周波数レイヤ間のセル変更をサポートするための方法は、第２の周波数レイヤのターゲットセルのカバレッジに関する情報をユーザ端末から受信することと、受信した情報に基づいてターゲットセルへ変更するかを判定することとを含む。
【００５０】
第４の実施形態によれば、周波数レイヤ間のセル変更をサポートするように構成される少なくとも２つの周波数レイヤを展開する無線通信ネットワークのユーザ端末が提供される。ユーザ端末は、少なくとも２つの周波数レイヤの第１の周波数レイヤのセル内で、無線ネットワークノードによってサービスが提供され、第１の周波数レイヤのセルについての測定を実行し、少なくとも２つの周波数レイヤの第２の周波数レイヤのセルについての測定は除外するように構成される。ユーザ端末は、第１の周波数レイヤの少なくとも１つのセルについて測定を実行し、実行された測定の結果に基づいてユーザ端末の位置を判定し、判定した位置と少なくとも２つの周波数レイヤのカバレッジマップとに基づいて、第２の周波数レイヤのターゲットセルのカバレッジを評価するように構成された処理回路を備える。ユーザ端末は、ターゲットセルの評価されたカバレッジに関する情報を無線ネットワークノードに送信するように構成される送信器を更に備える。
【００５１】
更に、第４の実施形態によれば、少なくとも２つの周波数レイヤを展開する無線通信ネットワークのための無線ネットワークノードが提供される。無線ネットワークノードは、少なくとも２つの周波数レイヤの第１の周波数レイヤのセル内のユーザ端末にサービスを提供し、周波数レイヤ間のセル変更をサポートするように構成される。ユーザ端末は、第１の周波数レイヤのセルについての測定を実行し、少なくとも２つの周波数レイヤの第２の周波数レイヤのセルについての測定は除外するように構成される。無線ネットワークノードは、第２の周波数レイヤのターゲットセルのカバレッジに関する情報を、ユーザ端末から受信するように構成される受信器を備える。無線ネットワークノードは、受信した情報に基づいてターゲットセルへ変更するかを判定するように構成される処理回路を備える。
【００５２】
第５の実施形態によれば、少なくとも２つの周波数レイヤを展開する無線通信ネットワークのユーザ端末における方法が提供される。ユーザ端末は、アイドルモードにおいて少なくとも２つの周波数レイヤの第１の周波数レイヤのセルに在圏しており、第１の周波数レイヤのセルについての測定を実行し、少なくとも２つの周波数レイヤの第２の周波数レイヤのセルについての測定は除外するように構成される。周波数レイヤ間のセル変更をサポートするための方法は、第１の周波数レイヤの少なくとも１つのセルについて測定を実行することと、実行された測定の結果にもとづいてユーザ端末の位置を判定することとを含む。本方法はまた、判定した位置と、少なくとも２つの周波数レイヤに対するカバレッジマップとに基づいて、第２の周波数レイヤのターゲットセルのカバレッジを評価することと、ターゲットセルのカバレッジの評価に基づいてターゲットセルへ変更するかを判定することとを含む。
【００５３】
第６の実施形態によれば、少なくとも２つの周波数レイヤを展開する無線通信ネットワークのためのユーザ端末が提供される。ユーザ端末は、周波数レイヤの間のセル変更をサポートし、アイドルモードで少なくとも２つの周波数レイヤの第１の周波数レイヤのセルに在圏し、第１の周波数レイヤのセルについての測定を実行すると共に少なくとも２つの周波数レイヤの第２の周波数レイヤのセルについての測定は除外するように構成される。ユーザ端末は、メモリと、第１の周波数レイヤの少なくとも１つのセルについての測定を実行し、測定された結果に基づいてユーザ端末の位置を判定するように構成される処理回路とを備える。処理回路は、さらに、判定された位置と少なくとも２つの周波数レイヤに対するカバレッジマップとに基づいて、第２の周波数レイヤのターゲットセルのカバレッジを評価し、ターゲットセルのカバレッジの評価に基づいて、ターゲットセルへ変更するかを判定するように構成される。
【発明の効果】
【００５４】
これらの実施形態の利点は、ターゲットセルがソースセルと同一の場所に配置されていない場合に、ブラインドハンドオーバおよびブラインドリダイレクションによる接続解除に対する、より良好な代替策のような、モビリティのための改善されたセル変更手順が提供されることである。
【００５５】
これらの実施形態の別の利点は、ＵＴＲＡからＥ−ＵＴＲＡへの測定がサポートされていないことに起因して、ＵＴＲＡＮセルから抜け出せないことを防いでいるため、リリース８〜１０のＣＥＬＬ＿ＦＡＣＨ状態のＵＥに対してモビリティが改善されることである。
【００５６】
実施形態の他の目的、利点、および特徴について、添付の図面および特許請求の範囲を参照して、以下で詳細に説明する。
【図面の簡単な説明】
【００５７】
【図１ａ】無線アクセスネットワークを示す概略図である。
【図１ｂ】無線アクセスネットワークを示す概略図である。
【図２】２つの周波数レイヤＦ１およびＦ２上の同一の場所に配置されていないセルを示す概略図である。
【図３】ＣＡシナリオを示す概略図である。
【図４】未測定セルＤのカバレッジを、どのように測定済みセルＡ、ＢおよびＣからの距離で表すことができるかを示す図である。
【図５ａ】実施形態による方法を示すフローチャートである。
【図５ｂ】実施形態による方法を示すフローチャートである。
【図５ｃ】実施形態による方法を示すフローチャートである。
【図５ｄ】実施形態による方法を示すフローチャートである。
【図６ａ】実施形態による無線ネットワークノードにおける方法を示すフローチャートである。
【図６ｂ】実施形態による無線ネットワークノードにおける方法を示すフローチャートである。
【図７ａ】実施形態によるＵＥにおける方法を示すフローチャートである。
【図７ｂ】実施形態によるＵＥにおける方法を示すフローチャートである。
【図８ａ】実施形態による無線ネットワークノードにおける方法を示すフローチャートである。
【図８ｂ】実施形態による無線ネットワークノードにおける方法を示すフローチャートである。
【図９ａ】実施形態によるアイドルモードのＵＥにおける方法を示すフローチャートである。
【図９ｂ】実施形態によるアイドルモードのＵＥにおける方法を示すフローチャートである。
【図１０】実施形態による無線ネットワークノードを概略的に示すブロック図である。
【図１１】実施形態によるＵＥおよび無線ネットワークノードを概略的に示すブロック図である。
【図１２】実施形態によるＵＥを概略的に示すブロック図である。
【図１３】本発明の実施形態に適合する要素を有する、ＵＥまたは無線基地局内に実現される、無線送受信器を概略的に示すブロック図である。
【発明を実施するための形態】
【００５８】
以下では、特定の実施形態と添付図面を参照して、種々の態様について、より詳細に説明する。限定ではなく説明の目的で、種々の異なる実施形態の完全な理解を提供するために、特定のシナリオ及び技術のような、具体的詳細が記述される。しかしながら、これらの具体的詳細から離れた他の実施形態も存在しうる。
【００５９】
更に、当業者であれば、ここで以下に説明される機能および手段が、プログラムされたマイクロプロセッサまたは汎用コンピュータと連動して機能するソフトウェアを用いて、特定用途向け集積回路（ＡＳＩＣ）を用いて、又はこれらを共に用いて、実装されてもよいことが理解されるであろう。また、実施形態は主に方法およびノードの形で説明されるが、それらはまた、コンピュータプログラム媒体において、並びにコンピュータプロセッサおよびここで開示される機能を実行することができる１つ以上のプログラムでエンコードされ、プロセッサに接続されたメモリを含むシステムにおいて具現化され得ることが理解されるであろう。
【００６０】
ここで説明される技術は、ターゲットセルがソースセルと同一の位置に配置されていない場合に、ブラインドハンドオーバ、およびリダイレクションによるブラインド接続解除のような、ブラインドセル変更を改善する。以下の例示のシナリオに関連して、非限定的な一般的コンテキストにおいて、本発明の実施形態を説明する。
１．  ネットワーク制御モビリティシナリオでの、ブラインドハンドオーバ、リダイレクションまたはセル変更命令。
２．  ＵＥ制御モビリティシナリオでの、ブラインドハンドオーバ、リダイレクション、またはセル変更命令。
３．  ＣＡまたはマルチキャリアシナリオでの、セカンダリＣＣのブラインド設定。
４．  ＣＳＦＢシナリオ。
【００６１】
上でリストとして挙げたシナリオは、本発明の実施形態が有利である場合の例であるが、本発明の実施形態が適用されうる、アイドルモードおよび接続モード両方のＵＥのための他のセル変更シナリオが存在するかもしれない。
【００６２】
以下では、本発明の実施形態をより詳細に説明し、ターゲットセルとソースセルとが同一の位置に配置されていない場合に、３Ｇおよび４Ｇネットワーク間のモビリティ問題に対処する。例示の実施形態において、ネットワークは、例えば２Ｇおよび３ＧセルのＵＥ測定を使用して、ＵＥが４Ｇターゲットセルのカバレッジの範囲内にいるかを判定する。これにより、ＵＥは、明示的なＥ−ＵＴＲＡ測定を行わずに、Ｅ−ＵＴＲＡＮにハンドオーバまたはリダイレクトされることが可能となる。より一般的には、ネットワークノード若しくはＵＥ、またはネットワークノードとＵＥの双方の組み合わせは、この場合も１つ以上のキャリアおよび１つ以上のＲＡＴに対する１つの集合のセルのＵＥ測定に基づいて、ＵＥが、別の集合の未測定のターゲットセルのカバレッジの範囲内にいるかを判定する。
【００６３】
１つの実施形態においては、ネットワークノードは、カバレッジマップを格納すると共に保持している測位ノードのような、別のネットワークノードと通信し、格納されているカバレッジマップに関連する情報を、シグナリング手段を介して取得してもよい。この実施形態の変形では、ターゲットセルのカバレッジの判定は、完全に、または部分的に、ＵＥによって実行されてもよく、この場合には、カバレッジマップは、ＵＥにおいて保持されてもよい。
【００６４】
以下では、本発明の種々の実施形態について、上でリストとして挙げた種々のシナリオ例を参照して説明する。しかしながら、まず、実施形態のいくつかの共通部分について説明する。
【００６５】
共通部分
対処される基本的問題点の１つの態様を図２に示す。図２においてキャリアＦ１の３ＧのセルとキャリアＦ２の４Ｇのセルによって表される、異なる周波数レイヤまたはキャリアにおけるセルは、必ずしもに共配置されていない。従って、１つのレイヤにおいて基地局から特定の距離にいることは、ＵＥが別のレイヤの基地局からその同一の距離にいることを意味しない。異なる周波数レイヤでは、セルサイズも異なることを推測されるかもしれない。さらに、小さなセルを有するレイヤは、完全なカバレッジを達成するために、別のキャリアのより大きいセルと同一の位置に配置されているセルだけでなく、それらのサイト間の追加のセルの両方を有しうる。ある環境においては、別のレイヤがモビリティを提供する完全なカバレッジを提供している一方で、１つのレイヤはホットスポットのカバレッジエリアをホストしていてもよい。ホットスポットのセルは、図３に示されるように、ＣＡの場合には、セカンダリＣＣ（キャリアＦ２）上であってもよく、ここで、プライマリＣＣ（キャリアＦ１）はモビリティを提供し、セカンダリＣＣはホットスポットのみで利用することができる。また一方、ホットスポットセルは、完全にトラフィックの負荷分散のために使用されてもよい。従って、本発明の実施形態は、厳密に同一の位置に配置されていないシナリオのみに適用されるものではない。
【００６６】
ＵＥの位置を推定するためのいくつかの既存の方法がある。これらの方法のいくつかは、背景技術の項で上述した。特定の事例で使用される測位方法は、ＵＥの能力およびＵＥの状態のような、いくつかの要因に依存し得る。ネットワークはまた、上記以外の方法も実行してもよい。いくつかの例は以下の通りである。
−  マクロダイバーシティを使用し、専用の送信のために、各基地局が使用するタイミングオフセットから推定される位置。１つの例は、ＣＥＬＬ＿ＤＣＨ状態におけるＵＭＴＳのソフトハンドオーバであり、ここで、個別物理チャネル（ＤＰＣＨ）は、スロットの±１０分の１の範囲内で受信されなければならない。
−  最近のハンドオーバ並びにこれらのハンドオーバ間の時間、及び地理とトポグラフィとの少なくともいずれかに関する知識のような、ＵＥのトレイルに基づいて予想される位置。１つの例は、特定の経路に沿って走行しているＵＥが検出された場合である。
【００６７】
ここで説明される測位方法、または十分な精度でＵＥの位置を明らかにする任意の他の標準化され若しくは独自仕様の解決策は、未測定のセルからのカバレッジが存在するか否かを判定するためここで説明される技術のために使用されてもよいことが理解されるであろう。
【００６８】
１つのキャリアについての測定から、別のキャリアのセルカバレッジが存在するかを判定するための単純化した手法を、図４に示す。ここでは、１つのキャリアにおける各セルＡ、ＢおよびＣのＲＢＳ４０１ａ〜ｃからの推定距離から、ＵＥが他のキャリアのセルＤのカバレッジの範囲内にいるかが判定される。ＲＢＳに対する推定距離は、異なるセルＡ、ＢおよびＣに対して受信された信号のタイミングオフセットから、又は信号強度レベル（たとえば、ＲＳＲＰ、ＲＳＣＰ）と信号品質レベル（例えば、ＲＳＲＱ、Ｅｃ／Ｎｏ）との少なくともいずれかから導出されてもよい。図４には、標準的に円４０２で与えられる未測定のセルＤのカバレッジが、測定されたセルＡ、ＢおよびＣから導出されるＲＢＳ４０１ａ〜ｃからの距離によってどのように表されるかが示されている。ＵＥが、セルＡにサービスを提供するＲＢＳ４０１ａからの距離がａ１より大きくａ２より小さく、セルＢにサービスを提供するＲＢＳ４０１ｂからの距離がｂ１より大きくｂ２より小さく、またセルＣにサービスを提供するＲＢＳ４０１ｃからの距離がｃ１より大きくｃ２より小さい位置にいる場合には、ＵＥは、エリア４０３の範囲内におり、ひいては、セルＤのカバレッジエリアの範囲内にいる。
【００６９】
より洗練されたアプローチでは、ネットワーク内のいくつかのエンティティが、重複したカバレッジを有するＲＡＴ内およびＲＡＴ間キャリアに対するカバレッジマップを保持する。ＵＴＲＡの場合、このエンティティはＲＮＣであってもよく、Ｅ−ＵＴＲＡの場合には、このエンティティはｅＮｏｄｅＢであってもよい。未測定のセルからのカバレッジが存在するか判定しようとするエンティティにアクセスすることができる限り、カバレッジマップの特定の展開は特に重要ではない。エンティティは、以下に説明するように、ネットワークノード、またはＵＥ自身であってもよい。例えばネットワークがＵＥの位置に関する更新された情報を受信すると、その位置において他のＲＡＴに属する可能性がある他のキャリアの良好なカバレッジを有するセルが存在するかを知るためにカバレッジマップがチェックされる。カバレッジマップは、例えば、特定の場所における、異なる周波数レイヤまたはキャリアに対する信号強度値の間のマッピングを提供してもよい。１つの例は、ある位置におけるＵＴＲＡセルに対するＣＰＩＣＨ  ＲＳＣＰ値と、Ｅ−ＵＴＲＡセルに対する、対応するＲＳＲＰ値との間のマッピングである。品質尺度値のような他のパラメータのマッピングが、カバレッジマップによって提供されてもよい。品質尺度の例は、ＵＴＲＡセルに対するＣＰＩＣＨ  Ｅｃ／Ｎｏ、およびＥ−ＵＴＲＡセルに対するＲＳＲＱである。カバレッジマップおよびＵＥの位置から得られたカバレッジの予想品質および現在の周波数内キャリアの優先度に対する他のキャリアの優先度のような、因子の組み合わせに基づいて、ネットワークは、１つのキャリアのセルから他のキャリアのセルへＵＥを移動させることを決定してもよい。
【００７０】
カバレッジマップの保持は、いくつかの方法で、オフライン、またはオンラインで実行されてもよい。以下は、カバレッジマップを保持する方法例の非限定的なリストである。以下の技術は、いずれも、他の技術と組み合わせて用いられてもよい。
−  ネットワーク事業者は、ドライブテストにおいて、関係するキャリアについての同時測定を行ってもよい。
−  ネットワーク事業者は、時折、関係する全キャリアについての、または少なくとも周波数内キャリア、および優先度の高いキャリアについての測定を実行するために、ＵＥに全測定機能を設定してもよい。そして、その結果は、カバレッジマップを更新するのに使用され得る。
−  ネットワーク事業者は、いくつかの場所に対してカバレッジマップを修正すべきかを知るために、ハンドオーバ／リダイレクション後の戻しの数の統計を評価してもよい。
−  ネットワーク事業者は、ＭＤＴ可能なデバイスからの情報を使用してもよい。
−  ネットワーク事業者は、カバレッジマップを保持する基礎として、無線伝搬シミュレーションと計算との少なくともいずれかを使用してもよい。
【００７１】
以下では、上でリストとして挙げた４つの例示のシナリオを参照して、本発明のいくつかの実施形態について説明する。
【００７２】
シナリオ１：ネットワーク制御モビリティシナリオにおけるブラインドハンドオーバ、リダイレクション、またはセル変更命令
このシナリオについて、図５を参照して説明する。ＵＥは、いくつかのキャリアでのカバレッジが存在する領域の範囲内にいる。ネットワークは、１つ以上の周波数レイヤまたはキャリアのセルについての測定を実行するようにＵＥを設定しているが、少なくとも１つの周波数レイヤまたはキャリアのセルについての測定は除外している。ある周波数レイヤまたはキャリアのセルが測定から除外される理由はいくつかありうる。１つの理由は、ＵＥの測定能力が制限されていることでありうる。上述のように、例えば、３ＧＰＰのリリース８のマルチモードＵＥが、ＵＴＲＡからＥ−ＵＴＲＡへの測定をサポートすることは、義務ではない。したがって、このような場合では、ＵＥは、３Ｇおよび４Ｇの両方をサポートしうるが、ＣＥＬＬ＿ＤＣＨ状態においてＵＴＲＡからＥ−ＵＴＲＡへの測定はサポートせず、従って、４Ｇから３Ｇへのモビリティ決定は、ブラインドでなければならない。
【００７３】
ステップ５０１において、ＵＥは、測定結果をネットワークに報告する。これは、測定結果報告を最新なものに維持するために周期的に行われる。測定結果に基づいて、ネットワークは、ステップ５０２において、ＵＥの位置を判定しうる。ここで説明される測位方法のいずれかが、例えばＵＥの位置の判定に使用されてもよい。ステップ５０３において、ネットワークは、判定されたＵＥの位置とカバレッジマップとを用いて、より優先度が高い周波数レイヤ／キャリアでありうる、未測定の周波数レイヤ／キャリアの可能性のあるターゲットセルのカバレッジを評価する。例として、ＵＥの位置におけるＥ−ＵＴＲＡＮセルに対するＲＳＲＱ値は、カバレッジマップから得られる。得られたＲＳＲＱ値が閾値よりも高く、したがってＵＥが未測定のセルを良好な品質で受信することが期待される場合（５０４／Ｙｅｓ参照）、ネットワークは、ステップ５０５において、セル変更コマンドを発行する。セル変更コマンドは、ハンドオーバ、リダイレクションを伴う接続解除、又はセル変更命令のためのコマンドでありうる。
【００７４】
その一方で、ＵＥが、未測定のセルを良好な品質で受信することが期待されない場合、例えば、ＲＳＲＱ値が閾値より低い場合（５０４／Ｎｏ参照）、測定されたキャリアに基づく通常のモビリティ評価が、ステップ５０６及び５０７において実行される。通常のモビリティ評価で、セル変更が実行されるべきであると判定された場合（５０７／Ｙｅｓ）、その結果は、ステップ５０８における、測定されたセルへの、ハンドオーバ、リダイレクションを伴う接続解除またはセル変更命令である。モビリティ評価の結果が測定されたセルへの、ハンドオーバ、リダイレクションを伴う接続解除またはセル変更命令に至らなかった場合（５０７／Ｎｏ参照）、ネットワークは、ＵＥが未測定の周波数レイヤのセルの良好なカバレッジの範囲内にいる可能性が高いかどうかを再び評価するために、次の測定報告を待つか、またはそれよりも長い時間を待つ。従って、ステップ５０１〜５０４は繰り返される。ＵＥが未測定の周波数レイヤのセルの良好なカバレッジの範囲内にいる可能性があるかの次の評価をネットワークが実行するまでにネットワークが待つ時間は、ＵＥが静止していたか移動していたかのような、過去の報告と活動との少なくともいずれかから判定されるＵＥの履歴に依存しうる。
【００７５】
使用される測位の方法によって、周期的な測定報告を送信するようにＵＥに要求する必要がない場合がある。基地局が、ＵＥの位置を判定するためにＵＬで受信された信号を使用する場合、すなわち、到来時間測定に基づいて位置を判定する場合、測定されたキャリアだけに基づいてモビリティをサポートするためには、イベント起動の報告を要求するだけで十分である。
【００７６】
シナリオ２：ＵＥ制御モビリティシナリオにおけるブラインドハンドオーバ、リダイレクション、セル変更命令
このシナリオについて、図５ｂを参照して説明する。ここでもまた、ＵＥは、いくつかのキャリアでカバレッジが存在する領域の範囲内にいる。ネットワークは、１つ以上の周波数レイヤまたはキャリアのセルについての測定を実行するようにＵＥを設定しているが、少なくとも１つの周波数レイヤまたはキャリアのセルについての測定は除外している。あるキャリアのセルが測定から除外される理由が、いくつか存在しうる。１つの理由は、ＵＥの測定能力が制限されていることでありうる。上述のように、３Ｇから４Ｇへのモビリティが可能ではないため、ＵＥがＣＥＬＬ＿ＦＡＣＨ状態にある場合にＵＴＲＡからＥ−ＵＴＲＡへの測定をサポートしていないことに起因して、リリース８〜１０の端末は、ＵＴＲＡから抜け出せない可能性がある。
【００７７】
ステップ５１１において、ＵＥは、測定結果をネットワークに報告する。これは、測定結果報告を最新なものに維持するために周期的に行われる。ＵＴＲＡの場合、ＣＥＬＬ＿ＦＡＣＨ状態のセルの監視されている集合の、周期的なランダムアクセスチャネル（ＲＡＣＨ）測定報告であってもよいであろう。ステップ５１２において、ネットワークは、測定結果に基づいてＵＥの位置を判定しうる。ここで説明される測位の方法のいずれかを、ＵＥの位置を判定するのに用いてもよい。ステップ５１３において、ネットワークは、判定されたＵＥの位置とカバレッジマップとを用いて、より高い優先度を付されている周波数レイヤ／キャリアでありうる未測定の周波数レイヤ／キャリアの可能性のあるターゲットセルのカバレッジを評価する。例として、ＵＥの位置におけるＥ−ＵＴＲＡＮセルに対するＲＳＲＱ値は、カバレッジマップから得られる。得られたＲＳＲＱ値が閾値より高く、したがってＵＥが未測定のセルを良好な品質で受信することが期待される場合（５１４／Ｙｅｓ参照）、ネットワークは、ステップ５１５において、ＵＥに対して、ハンドオーバ、リダイレクションを伴う接続解放、またはセル変更命令を発行する。これは、ネットワークが、上述の操作を実行する前に、ＵＥ状態を変更することに関しうる。
【００７８】
その一方、ＵＥが、未測定のセルを良好な品質で受信することが期待されない場合、例えば、ＲＳＲＱ値が閾値より低い場合（５０４／Ｎｏ参照）、ネットワークは、ＵＥが未測定の周波数レイヤのセルの良好なカバレッジの範囲内にいる可能性が高いかどうかを再度評価するために、次の測定レポートまで、またはそれよりも長い時間、待機する。従って、ステップ５１１〜５１４は繰り返される。ネットワークが、ＵＥが未測定の周波数レイヤのセルの良好なカバレッジの範囲内にいる可能性があるかを次の評価を実行するまでに待つ時間は、ＵＥが静止していたか移動していたかのような、過去の報告と活動との少なくともいずれかから判定されるＵＥの履歴に依存する可能性がある。
【００７９】
使用される測位方法によって、ＵＥに周期的な測定報告を送信するように命令する必要がない場合がある。基地局が、ＵＥの位置を判定するのにＵＬで受信された信号を使用する場合、すなわち、到来時間の測定に基づいて位置を決定する場合、測定されたキャリアのみに基づいてモビリティをサポートするためには、イベント起動の報告を要求するだけで十分である。
【００８０】
シナリオ３  ＣＡまたはマルチキャリアシナリオにおけるセカンダリＣＣのブラインド設定
このシナリオについて、図５ｃを参照して説明する。ここでは、ＵＥは、ＣＡまたはマルチキャリアがサポートされている領域の範囲内にいる。ＵＥは、プライマリＣＣ（ＰＣＣ）上でプライマリセルまたはアンカセルに接続されている。プライマリセルは、広い領域をカバーし、従ってモビリティを提供する、マクロセルである。この領域において、セカンダリＣＣ（ＳＣＣ）上のセカンダリセルもいくつか存在する。セカンダリセルは、プライマリセルよりも小さなセルであり、ＳＣＣは、領域全体にわたってのカバレッジは提供しない。ネットワークは、ＵＥを、ＰＣＣの測定を用いるがＳＣＣは用いずに設定しており、ＳＣＣは「未設定」である。したがって、このシナリオでは、本発明の実施形態は、実際にＵＥにセカンダリセルを測定させずにＵＥがマクロプライマリセルに接続されている時に、ＵＥが「ホットスポット」セカンダリセルのカバレッジの範囲内にいるかを判定するＣＡシナリオにおいて使用されうる。
【００８１】
ステップ５２１において、ＵＥは、測定結果をネットワークに報告する。これは、測定結果報告を最新な状態に保持するために定期的に行われる。ステップ５２２において、ネットワークは、測定結果に基づいてＵＥの位置を判定しうる。例として、ＵＥの位置を判定するのに、ここに記載される測位の方法をいずれかを使用してもよい。ステップ５２３において、ネットワークは、判定したＵＥの位置とカバレッジマップとを使用して、未測定のＳＣＣにおける、可能性があるセカンダリセルのカバレッジを評価する。ＵＥが未測定のセカンダリセルを良好な品質で受信することが期待される場合（５２４／Ｙｅｓ参照）、ネットワークは、セルを変更してもよく、これは、ステップ５２５において、以前は未設定であったＳＣＣを設定すること意味する。従って、ＵＥは、ＳＣＣ設定の後に、短期間で、ＳＣＣにおけるデータを受信する準備としてＳＣＣにおける測定を実行しなければならないだろう。
【００８２】
その一方、ＵＥが、未測定のセカンダリセルを良好な品質で受信することが期待されない場合（５２４／Ｎｏ参照）、ネットワークは、ＵＥが未測定の周波数レイヤのセルの良好なカバレッジの範囲内にいる可能性があるかを再び評価するために、次の測定報告まで、またはそれより長い時間、待機する。従って、ステップ５２１〜５２４は繰り返される。ネットワークが、ＵＥが未測定の周波数レイヤのセルの良好なカバレッジの中にいる可能性があるかの次の評価を実行するまでに待つ時間は、ＵＥが静止していたか移動していたかのような過去の報告と活動との少なくともいずれかから判定される、ＵＥの履歴に依存する可能性がある。
【００８３】
使用される測位方法によって、ＵＥに定期的に測定報告を送信するように命令する必要がない場合がある。基地局が、ＵＥの位置を判定するためにＵＬで受信された信号を使用する場合、すなわち、到来時間の測定に基づいて位置を判定する場合、測定されたキャリアのみに基づいてモビリティをサポートするためには、イベント起動の報告を要求するだけで十分である。
【００８４】
Ｅ−ＵＴＲＡの場合、上述の実施形態は、バンド内及びバンド間ＣＡにおける未設定のセカンダリセルの測定の点で特に興味深い場合がある。これは、設定されたセカンダリセルは、ギャップを使用せずに測定されうる一方で、全てのモビリティがプライマリセルだけに基づくべきものであり、場合によっては未設定のセカンダリセルは測定ギャップを使用して測定されるべきであるということに起因する。測定ギャップは、サービングプライマリセル通信に穴を開け、従って、スループットを減少させる。従って、ＵＥがセカンダリセルの上で悪いカバレッジを有する場合に、未設定のセカンダリセルの測定を行わないことにより、プライマリセルにおけるスループットを増加させることができる可能性がある。
【００８５】
シナリオ４：改善された回線交換フォールバックシナリオ
このシナリオについて図５ｄを参照して説明する。ここでは、ＵＥは、回線交換（ＣＳ）およびパケット交換（ＰＳ）ドメインの間のゲートウェイを含まないネットワーク内のＥ−ＵＴＲＡセルに、接続され、または、アイドルモードの場合に在圏する。このようなゲートウェイは、Ｅ−ＵＴＲＡにおけるボイスオーバーＩＰ（ＶｏＩＰ）呼を可能にするために必要とされる。ＵＥは、２Ｇまたは３Ｇキャリアについての測定を設定されておらず、従って、ＲＡＴ間測定を実行していない。
【００８６】
ステップ５３１において、ネットワークは、ＵＥによって終端されるべき着信音声呼を検出する。ＵＥがアイドルモードにある場合、ネットワークは、ＵＥを呼び出し、それによってＵＥは接続状態に入る。ネットワークは、ステップ５３２で、ＵＥの位置を判定する。
【００８７】
ＵＥが既に接続状態にあった場合は、ネットワークは過去の測定又はＵＬの送信からのＵＥの位置に関する情報を既に有している場合がある。そうでない場合、ネットワークは、最新の測定に基づいて位置を判定する。ＵＥがアイドルモードに最近なった場合は、ネットワークはＵＥの位置に関して十分な知識を持っていない場合がある。しかしながら、ＵＥは、ランダムアクセスに従事している間、位置が決められうる。例えば、ネットワークは、ランダムアクセスチャネルでＵＥによって送信されたアップリンクの受信信号についての測定を実行することができる。実行することができる測定の例は、一方向伝搬遅延、信号の到来時間、ＵＥのｘ〜Ｒｘの時間差測定、および信号の到来角（ＡｏＡ）である。ネットワークは、ランダムアクセス時におけるＵＥの位置を判定するために、これらの測定を使用ことができる。
【００８８】
ステップ５３３において、ネットワークは、カバレッジマップを使用することにより、判定したＵＥの位置に関して、最良のターゲットの３Ｇまたは２Ｇセルを判定し、ステップ５３４において、そのセルへのハンドオーバ、リダイレクションを伴う接続解除、またはセル変更命令を発行する。システム情報のトンネリングが、同時に行われてもよいし、行われなくてもよい。ターゲットの２Ｇまたは３Ｇセルは、ＵＥの位置において最良な、または最も強いセルであるため、そのセルはＥ−ＵＴＲＡソースセルと同一の位置に配置されない場合があるが、ＵＥは、それを迅速に見いだすことができる。従って、遅延は最小化される。
【００８９】
これは、短い設定遅延と中断時間とが必要とされる、サービス起動型のモビリティの１つの例である。低遅延と短い中断時間とが要求される場合の別の例は、輻輳起動型のモビリティに対する場合である。
【００９０】
無線ネットワークノードとカバレッジマップを記憶するネットワークノードとの間のシグナリング手段
上述のように、未測定の周波数レイヤまたはキャリアにおけるセルのカバレッジを評価するために、ネットワークは、ＵＥの位置とカバレッジマップとを使用する。カバレッジマップは、異なるエンティティ又はノードにおいて記憶されて保持されてもよい。従って、本発明の実施形態は、例えば、以下に説明するように、サービング無線ネットワークノードとカバレッジマップを有している別のノードとの間のシグナリング交換を含む。
【００９１】
既存のシステムでは、事前に定義されたカバレッジマップが、一般に、測位ノードまたは専用サーバに配置される。これらのカバレッジマップは、フィンガプリンティング等の測位方法に使用されうる。例えば、ＬＴＥでは、カバレッジマップは、測位ノードであるＥ−ＳＭＬＣに存在させることができる。上述のシナリオのいくつかでは、ＬＴＥにおけるｅＮｏｄｅＢまたはＨＳＰＡおけるＲＮＣのような無線ネットワークノードは、モビリティ判定、例えば、ハンドオーバを実行する。従って、本発明のいくつかの実施形態では、無線ネットワークノードは、未測定の周波数レイヤまたはキャリアＦ２のターゲットセルに関連するカバレージマップに関連付けられた情報の１つ以上のセットを取得する。情報の取得には、無線ネットワークノードとデータベースまたはカバレッジマップを含むノードと間のシグナリングが必要である。
【００９２】
シグナリングされる情報は、例えば、ソース周波数レイヤＦ１について測定された信号値に関連付けられた、ターゲット周波数レイヤＦ２に対する期待信号値を含んでもよい。信号値は、信号強度や信号品質値であってもよい。シグナリングされる情報は、代替的に、ソース周波数レイヤＦ１について測定された信号値の関数であるオフセットと、ターゲット周波数レイヤＦ２についての対応する値とを含んでもよい。利点は、オフセットのシグナリングは、シグナリングオーバーヘッドを減少させるということである。
【００９３】
更に別の代替例では、シグナリングされる情報は、ソース周波数レイヤＦ１について測定された信号値の関数であるオフセットと、ターゲット周波数レイヤＦ２についての対応する信号値と、参照値とを含んでもよい。周波数レイヤＦ１およびＦ２は、同一または異なる周波数帯域に属していてもよい。異なる帯域の場合は、例えばＦ１とＦ２がそれぞれ、バンド１（２１００ＭＨｚ）とバンド８（９００ＭＨｚ）とに属している場合、周波数の差は非常に大な値となりうる。キャリア周波数のカバレッジまたはパスロスへの依存性はよく知られている。従って、周波数間の差が大きい場合、周波数に依存するパスロスもまた、非常に差が大きくなる場合がある。カバレッジは、低いキャリア周波数で非常に良好になる。自由空間モデルによれば、パスロスの周波数依存性は、式（１）によって与えられ、
ΔＬ＝２０ｌｏｇ10（Ｆ1／Ｆ2）      （１）
ここで、ΔＬは、送信器と受信器との間の距離は同じと仮定した場合の、キャリア周波数Ｆ１とＦ２との間のパスロスの差である。
【００９４】
Ｆ１＝１８００ＭＨｚ及びＦ２＝９００ＭＨｚを仮定すると、式（１）によれば、自由空間におけるパスロスの差は約６ｄＢになる。Ｆ１＝２１００ＭＨｚおよびＦ２＝９００ＭＨｚを仮定すると、自由空間におけるパスロスの差は更に大きく、すなわち、約７ｄＢになる。それぞれ４５０ＭＨｚ帯および３５００ＭＨｚ帯にある周波数Ｆ１およびＦ２に対しては、自由空間において、差は約１８ｄＢになる。従って、大きな周波数差に起因するこの不一致を補償するために、基準値を使用することができる。
【００９５】
未測定の周波数レイヤのカバレッジを判定するためのＵＥベースの方法
シナリオ１〜４を参照して説明した上の実施形態では、無線ネットワークノードは、未測定の周波数レイヤへのセル変更を実行するかを判定するために、測定値を受信し、その測定値に基づいてＵＥの位置を判定し、未測定の周波数レイヤのセルのカバレッジを評価する。また一方、別の実施形態では、後述するように、方法が無線ネットワークノードとＵＥとによって協働して実行される。
【００９６】
本発明のこの例示の代替実施形態では、ＵＥがカバレッジマップのデータベースを保持する。このようなデータベースは、ＵＥベースの測位方法に用いられうる。データベースは、バックグラウンドで実行する測定によって、ＵＥによって更新されることができ、また、ネットワークによっても更新されてもよい。本データベースは、上述の全てのモビリティシナリオ１〜４のために使用されうる。
【００９７】
ＵＥは、サービングＲＡＴのような、１つの周波数レイヤまたはＲＡＴのセルについて測定を行い、測定からその位置を判定する。そして、ＵＥは、別のＲＡＴのターゲットセルのカバレッジを評価するために、カバレッジマップを使用する。この評価に基づいて、ＵＥは、ターゲットセルの測定値の導出値を無線ネットワークノードに報告する。ターゲットセルの導出値の報告は、ネットワークからの要求に応答して送信されてもよい。今度は、ネットワークが、上述の１つ以上の要求されるモビリティタスクを実行するために、受信した報告の結果を使用する。
【００９８】
１つの実施形態によれば、ＵＥはまた、このような特徴サポートするＵＥの能力、すなわち、ある周波数レイヤについての特定のターゲットセルに対して得られた測定結果を、実際にその周波数における測定を実行せずに、ネットワークに提供することができる。能力情報は、ネットワークによって、特定の周波数レイヤまたはＲＡＴに対して、測定ギャップを設定しないようにすることのような、いくつかの目的に使用することができる。
【００９９】
ＵＥがアイドルモードにいる場合に関する、更に別の代替実施形態においては、アイドルモードにいるときには、セル再選択に関するいずれのモビリティ尺度も、決定するのはＵＥであるため、方法が全てＵＥによって実行される。従って、ＵＥは、測定を実行し、その位置を判定し、その位置およびカバレッジマップに基づいて、未測定の周波数レイヤのターゲットセルのカバレッジを評価し、そして最終的に、評価したカバレッジに基づいて、セル再選択を実行するかを判定する。
【０１００】
このように、本方法は、異なるノードが異なる実施形態に関わっているが、３つの代替的実施形態において同じである。すなわち、１つ以上のキャリアおよび１つ以上のＲＡＴに対する１組のセルのＵＥの測定に基づいてＵＥの位置を判定し、判定したＵＥの位置とカバレッジマップとに基づいて、ＵＥが１組の未測定のターゲットセルのカバレッジの範囲内にいるかを評価する。これは、未測定の周波数レイヤのターゲットセルへ変更するかを決定するために行われる。目的は、３つの実施形態において同じであり、すなわち、周波数レイヤ間のモビリティのためのセル変更の手順を改善することである。
【０１０１】
方法およびノード
図６ａ〜ｂは、無線ネットワークノードにおいて実行される方法を示している。図６ａは、周波数レイヤ間のセル変更をサポートするための無線ネットワークノードにおける方法の第１の実施形態を示すフローチャートである。セル変更は、セル再選択、ハンドオーバ、またはリダイレクションを伴う接続解除を含むことができる。無線ネットワークノードは、例えば、図２または図３を参照して前述したように、少なくとも２つの周波数レイヤＦ１及びＦ２が展開された無線通信ネットワークの一部分である。無線ネットワークノードは、例えばＵＴＲＡＮにおけるノードＢ（図１ａ参照）であってもよい。無線ネットワークノード１０１は、少なくとも２つの周波数レイヤの第１の周波数レイヤＦ１のセル１０５内のＵＥ１０３にサービスを提供し、ＵＥは、第１の周波数レイヤＦ１のセルについての測定を実行し、少なくとも２つの周波数レイヤの第２の周波数レイヤＦ２のセルについての測定は除外するように構成される。本方法は、以下を含む。
−  ６１０：第１の周波数レイヤＦ１の少なくとも１つのセルについて実行された測定について、測定結果をＵＥから受信する。ＵＴＲＡＮに対して、測定結果は、例えば、ＣＰＩＣＨ  ＲＳＣＰ及びＲＳＳＩ測定値を含みうる。
−  ６２０：受信した測定結果に基づいて、ＵＥの位置を判定する。既に上で述べたように、ＵＥの位置を判定するのに、例えば、フィンガプリンティングの方法を使用してもよい。
−  ６３０：判定された位置、および少なくとも２つの周波数レイヤに対するカバレッジマップに基づいて、第２の周波数レイヤＦ２のターゲットセルのカバレッジを評価する。
その位置においてキャリアＦ２で良好なカバレッジを持つセルが存在するかを知るために、カバレッジマップがチェックされる。
−  ６４０：ターゲットセルのカバレッジの評価に基づいて、ターゲットセルへ変更するかを判定する。典型的な実施形態では、ターゲットセルが閾値以上の品質で受信されると評価された場合、無線ネットワークノードは、ターゲットセルへ変更することを決定する。特定の閾値値を超える品質であれば、カバレッジはＦ２において良好であり、カバレッジが良好かつＦ２が優先度の高いキャリアである場合に、セル変更が開始されてもよい。
【０１０２】
図６ｂは、無線ネットワークノードにおける方法の別の実施形態を示すフローチャートである。判定された位置とカバレッジマップとに基づいて第２の周波数レイヤのターゲットセルのカバレッジを評価するステップ６３０は、判定された位置に対応する第２の周波数レイヤに対する信号強度または信号品質値を、カバレッジマップから得ること６３１を含む。１つの例は、ＵＥの位置での、キャリアＦ１におけるＵＴＲＡセルに対するＣＰＩＣＨ  ＲＳＣＰ値と、キャリアＦ２におけるＥ−ＵＴＲＡセルに対す、対応するＲＳＲＰ値との間のマッピングである。カバレッジマップから信号強度または信号品質値を得ること６３１は、いくつかの実施形態において、カバレッジマップを有するネットワークノードから次のいずれか１つを受信することを含む。
・  第２の周波数レイヤに対する信号強度または信号品質値、または、
・  第２の周波数レイヤに対する信号強度または信号品質と、第１の周波数レイヤの、それに対応する信号強度または信号品質との関数であるオフセット。
【０１０３】
ＵＴＲＡＮネットワークにおいては、カバレッジマップは、ＲＮＣにおいて保持されてもよく、従って、カバレッジマップから信号強度を得ることは、カバレッジマップをＲＮＣから受信することを伴うことになる。オフセットを送信することにより、シグナリング容量は、実際の値を送信する場合に比べて減少する。
【０１０４】
ステップ６４０において、無線ネットワークノードは、例えば、ターゲットセルが閾値以上の品質で受信されると評価された場合に、ターゲットセルへ変更することを決定してもよい。方法は、ターゲットセルが閾値よりも低い品質で受信されると評価された場合に、第１の周波数レイヤのセルについての測定に基づいて、第１の周波数レイヤＦ１の中でのモビリティの評価を実行する、６６０におけるさらなるステップを含んでもよい。この場合、ＵＥがＦ２キャリアに変更するにはＦ２のカバレッジが十分良好ではなく、従って、図５ａを参照して上で説明したように、通常のＲＡＴモビリティの評価が実行されてもよい。
【０１０５】
無線ネットワークノードが、ターゲットセルへ変更すると判定した場合、この方法は、ターゲットセルへの変更の命令を発行する、６５０におけるさらなるステップを含んでもよい。
【０１０６】
先に述べたシナリオ３に対応するシナリオでは、第１の周波数レイヤＦ１の測定されるセルはプライマリセルであり、ターゲットセルはマルチキャリアネットワークにおけるセカンダリセルである。この実施形態においては、セカンダリセルへ変更するかの判定は、セカンダリセルカバレッジの評価に基づいて、マルチキャリア動作のためにセカンダリセルを構成するかを判定することを含む。上述のように、これにより、ＵＥがカバレッジの範囲内にある時に、最初にそれらを測定することなく、セカンダリセルを構成することが可能となる。場合によっては未構成のセカンダリセルの測定が、容量を減少させる測定ギャップの設定を要求するため、これは有利である。
【０１０７】
図７ａ〜ｂおよび図８ａ〜ｂは、ＵＥおよび無線ネットワークノードが協働して実行する方法を示している。図７ａは、少なくとも２つの周波数レイヤＦ１、Ｆ２を展開する無線通信ネットワークのＵＥにおいて、周波数レイヤ間のセル変更をサポートするための方法の１つの実施形態を示すフローチャートである。ＵＥ１０３には、無線ネットワークノード１０１によって、少なくとも２つの周波数レイヤの第１の周波数レイヤＦ１のセル内でサービスが提供されており、ＵＥ１０３は、第１の周波数レイヤＦ１のセルについての測定を実行し、少なくとも２つの周波数レイヤの第２の周波数レイヤＦ２のセルについての測定は除外するように構成される。この方法は、以下を含む。
−  ７１０：第１の周波数レイヤＦ１の少なくとも１つのセルについての測定を実行する。ＵＴＲＡＮに対しては、測定は、例えば、ＣＰＩＣＨ  ＲＳＣＰおよびＲＳＳＩの測定を含んでもよい。
−  ７２０：実行された測定の結果に基づいて、ＵＥの位置を判定する。既に上で説明したように、ＵＥの位置を判定するのに、例えばフィンガプリンティングの方法を使用してもよい。
−  ７３０：判定された位置と少なくとも２つの周波数レイヤに対するカバレッジマップとに基づいて、第２の周波数レイヤＦ２のターゲットセルのカバレッジを評価する。カバレッジマップは、その位置において、キャリアＦ２で良好なカバレッジを有するセルが存在するかを知るために、チェックされる。
−  ７４０：ターゲットセルの評価されたカバレッジに関する情報を無線ネットワークノードへ送信する。
【０１０８】
図７ｂは、ＵＥにおける方法の別の実施形態を示すフローチャートである。判定された位置とカバレッジマップとに基づいて第２の周波数レイヤのターゲットセルのカバレッジを評価する７３０におけるステップは、７３１において、カバレッジマップから、判定された位置に対応する第２の周波数レイヤに対する信号強度または信号品質値を得ることを含む。カバレッジマップは、無線ネットワークノードから受信してもよい。代わりに、カバレッジマップは、ＵＥ自身によって保持されていてもよい。７４０において送信されるターゲットセルの評価されたカバレッジに関する情報は、１つの実施形態において、得られた信号強度または信号品質を含む。
【０１０９】
１つの実施形態において、方法は、また、７５０において、ＵＥが第２の周波数レイヤのセルのカバレッジについて、そのセルについての測定を伴わない評価をサポートしていることを示す能力の情報を、無線ネットワークノードへ送信することを含む。この方法では、ネットワークノードは、未測定のセルのカバレッジ評価を実行するようにＵＥに対して要求できるということを知っている。
【０１１０】
図８ａは、少なくとも２つの周波数レイヤＦ１およびＦ２を展開する無線通信ネットワークの無線ネットワークノードにおける、周波数レイヤ間のセル変更をサポートするための方法の１つの実施形態を示すフローチャートである。セル変更は、セル再選択、ハンドオーバ、リダイレクションを伴う接続解除を含んでもよい。ネットワークノードは、少なくとも２つの周波数レイヤの第１の周波数レイヤＦ１のセル内にあるＵＥにサービスを提供する。ＵＥは、第１の周波数レイヤＦ１のセルについての測定を実行し、少なくとも２つの周波数レイヤの第２の周波数レイヤＦ２のセルについての測定は除外するように構成される。本方法は、以下を含む。
−  ８１０：第２の周波数レイヤのターゲットセルのカバレッジに関するＵＥからの情報を受信する。従って、無線ネットワークノードは、図７ａを参照して上述したように、ＵＥにおいて実行されたカバレッジ評価の結果を受信する。
−  ８２０：受信した情報に基づいて、ターゲットセルへ変更するかを判定する。
【０１１１】
図８ｂは、無線ネットワークノードにおける方法の別の実施形態を示すフローチャートである。本方法は、８３０において、ＵＥからの能力を受信することをさらに含む。能力は、ＵＥが、第２の周波数レイヤＦ２のセルのカバレッジについての、そのセルについての測定の実行を伴わない評価をサポートしていることを示す。受信した能力は、ＵＥに対するターゲットセルのカバレッジに関する情報の要求のトリガとなる。ターゲットセルへ変更するかを判定するステップ８２０は、ターゲットセルが閾値以上の品質で受信されると評価された場合に、ターゲットセルへ変更すると判定することを含む。ターゲットセルへ変更すると判定された場合に、本方法は、８５０において、ターゲットセルへ変更することの命令を発行することをさらに含んでもよい。ターゲットセルが閾値より低い品質で受信されると評価された場合、したがって、ターゲットセルへの変更が行われない場合、本方法は、８４０において、第１の周波数レイヤのセルについての測定に基づいて、第１の周波数レイヤＦ１の中でのモビリティの評価を実行することを含む。
【０１１２】
先に述べたシナリオ３に対応するシナリオにおいては、第１の周波数レイヤＦ１の測定されたセルはプライマリセルであり、ターゲットセルはマルチキャリアネットワークにおけるセカンダリセルである。この実施形態においては、セカンダリセルへ変更するかの判定は、セカンダリセルのカバレッジの評価に基づいて、マルチキャリア動作のためにセカンダリセルを設定するかを判定することを含む。
【０１１３】
図９ａ〜ｂは、ＵＥがアイドルモードにいるときにＵＥのみによって実行される方法を示している。図９ａは、少なくとも２つの周波数レイヤＦ１およびＦ２を展開する無線通信ネットワークのＵＥにおいて、周波数レイヤ間のセル変更をサポートするための方法の１つの実施形態を示すフローチャートである。この実施形態においては、ＵＥは、アイドルモードにおいて、少なくとも２つの周波数レイヤの第１の周波数レイヤＦ１のセルに在圏している。ＵＥは、第１の周波数レイヤＦ１のセルについての測定を実行し、少なくとも２つの周波数レイヤの第２の周波数レイヤＦ２のセルについての測定は除外するように構成される、本方法は、以下を含む。
−  ９１０：第１の周波数レイヤの少なくとも１つのセルについての測定を実行する。
−  ９２０：実行された測定の結果に基づいてＵＥの位置を判定する。既に上で述べたように、例えば、ＵＥの位置を判定するために、フィンガプリンティングの方法が使用されてもよい。
−  ９３０：判定された位置と、少なくとも２つの周波数レイヤに対するカバレッジマップとに基づいて、第２の周波数レイヤのターゲットセルのカバレッジを評価する。図９ｂに示される１つの実施形態においては、第２の周波数レイヤのターゲットセルのカバレッジの評価は、９３１において、判定された位置に対応する第２の周波数レイヤに対する信号強度または信号品質を、カバレッジマップから得ることを含む。
−  ９４０：ターゲットセルのカバレッジの評価に基づいて、ターゲットセルへ変更するかを判定する。
【０１１４】
図１０のブロック図に、少なくとも２つの周波数レイヤを展開する無線通信ネットワークのための無線ネットワークノード１０００の実施形態を概略的に示す。無線ネットワークノードは、少なくとも２つの周波数レイヤの第１の周波数レイヤのセル内のＵＥ１０５０にサービスを提供し、周波数レイヤ間のセル変更をサポートするように構成される。セル変更は、セル再選択、ハンドオーバ、リダイレクションを伴う接続解除を含んでもよい。ＵＥは、第１の周波数レイヤのセルについての測定を実行し、少なくとも２つの周波数レイヤの第２の周波数レイヤのセルについての測定は除外するように構成される。無線ネットワークノードは、受信器１００１は、第１の周波数レイヤの少なくとも１つのセルについて実行された測定に対する測定結果をＵＥから受信するように構成される受信器１００１を有する。受信器１００１は、アンテナポートを介して、同じまたは異なる受信アンテナ１００８に接続されうる。無線ネットワークノードは、受信した測定結果に基づいてＵＥの位置を判定し、判定した位置と第少なくとも２つの周波数レイヤに対するカバレッジマップとに基づいて、第２の周波数レイヤのターゲットセルのカバレッジを評価するように構成される処理回路１００２を更に有する。処理回路は、ターゲットセルの評価に基づいて、ターゲットセルへ変更するかを判定するようにも構成される。
【０１１５】
１つの実施形態では、処理回路１００２は、判定した位置とカバレッジマップとに基づいて、判定した位置に対応する第２の周波数レイヤに対する信号強度または信号品質をカバレッジマップから得ることにより、第２の周波数レイヤのターゲットセルのカバレッジを評価するように構成される。処理回路１００２は、カバレッジマップを有するネットワークノードから、以下の内の１つを受信することにより、カバレッジマップから、信号強度または信号品質を得るように構成されてもよい。
・  第２の周波数レイヤに対する信号強度または信号品質
・  第２の周波数レイヤに対する信号強度または信号品質と、第１の周波数レイヤに対する、関連付けられた信号強度または信号品質との関数であるオフセット。
【０１１６】
１つの実施形態において、処理回路１００２は、ターゲットセルが閾値以上の品質で受信されると評価された場合に、ターゲットセルへ変更すると判定するように構成される。更に、処理回路１００２は、ターゲットセルが閾値より低い品質で受信されると評価された場合に、第１の周波数レイヤのセルについての測定に基づいて、第１の周波数レイヤの中でモビリティの評価を行うように構成されてもよい。別の実施形態においては、処理回路１００２は、ターゲットセルへ変更すると判定された場合に、ターゲットセルへ変更することの命令を発行するように構成されてもよい。
【０１１７】
代替的実施形態においては、第１の周波数レイヤの測定されたセルはプライマリセルであり、ターゲットセルはマルチキャリアネットワークにおけるセカンダリセルである。この実施形態における処理回路１００２は、セカンダリセルのカバレッジの評価に基づいて、マルチキャリア動作のためのセカンダリセルを設定するかを判定するように適合される。
【０１１８】
少なくとも２つの周波数レイヤを展開する無線通信ネットワークのためのＵＥ１１５０および無線ネットワークノード１１００の実施形態を、図１１のブロック図に示す。ＵＥ１１５０は、周波数レイヤ間のセル変更をサポートするように構成される。ＵＥは、少なくとも２つの周波数レイヤの第１の周波数レイヤのセルにおいて、ネットワークノードによってサービスを提供され、第１の周波数レイヤのセルについての測定を実行し、少なくとも２つの周波数レイヤの第２の周波数レイヤのセルについての測定は除外するように更に構成される。ＵＥは、第１の周波数レイヤの少なくとも１つのセルについて測定を実行し、実行された測定の結果に基づいてＵＥの位置を判定するように構成される処理回路１１５１を有する。処理回路はまた、判定された位置と、少なくとも２つの周波数レイヤに対するカバレッジマップとに基づいて、第２の周波数レイヤのターゲットセルのカバレッジを評価するように構成される。ＵＥはまた、ターゲットセルの評価されたカバレッジに関する情報を無線ネットワークノードに送信するように構成される送信器１１５２を更に有する。送信器１１５２は、同一の、または異なる送信アンテナ１１５８にアンテナポートを介して接続されてもよい。
【０１１９】
１つの実施形態において、処理回路１１５１は、判定された位置に対応する第２の周波数レイヤに対する信号強度または信号品質値をカバレッジマップから得ることにより、第２の周波数レイヤのターゲットセルのカバレッジを評価するように構成される。ターゲットセルの評価されたカバレッジに関する、送信される情報は、得られた信号強度または信号品質を含んでもよい。
【０１２０】
１つの実施形態において、処理部１１５１は、ＵＥにおいてカバレッジマップを保持するように構成される。代替的実施形態において、ＵＥは、無線ネットワークノードからカバレッジマップを受信するように構成される受信器１１５３を更に有する。この代替的実施形態においては、ＵＥは、カバレッジマップそのものを保持する必要はない。
【０１２１】
別の実施形態において、送信器１１５２は、無線ネットワークノードに対して、ＵＥが、第２の周波数レイヤのターゲットセルについての測定の実行を伴わない当該セルのカバレッジの評価をサポートしていることを示す、能力を送信するように更に構成される。
【０１２２】
無線ネットワークノード１１００は、少なくとも２つの周波数レイヤの第１の周波数レイヤのセル内のＵＥ１１５０にサービスを提供し、周波数レイヤ間のセル変更をサポートするように構成される。セル変更は、セル再選択、ハンドオーバ、またはリダイレクションを伴う接続解除を含んでもよい。ＵＥは、第１の周波数レイヤのセルについての測定を実行し、少なくとも２つの周波数レイヤの第２の周波数レイヤのセルについての測定は除外するように構成される。無線ネットワークノードは、第２の周波数レイヤのターゲットセルのカバレッジに関する情報をＵＥから受信するように構成される受信器１１０１と、受信した情報に基づいて、ターゲットセルに変更するかを判定するように構成される処理回路１１０２とを有する。受信器１１０１は、アンテナポートを介して、同一または異なる受信アンテナ１１０８に接続されうる。
【０１２３】
受信器１１０１は、１つの実施形態において、ＵＥから、ＵＥが、第２の周波数レイヤのセルについての測定を実行伴わない、当該セルのカバレッジの評価をサポートすることを示す能力を受信するように、更に構成される。処理回路１１０２は、受信した能力をトリガに、ターゲットセルのカバレッジに関する情報をＵＥに要求するように構成されてもよい。
【０１２４】
別の実施形態においては、処理回路１１０２は、ターゲットセルが閾値以上の品質で受信されると評価された場合に、ターゲットセルへ変更するように判定するように構成される。処理回路１１０２は、ターゲットセルが閾値より低い品質で受信されると評価された場合に、第１の周波数レイヤのセルについての測定に基づいて、第１の周波数レイヤの中でのモビリティの評価を実行するように更に構成されてもよい。更に別の実施形態においては、処理回路１１０２は、ターゲットセルへ変更するように判定された場合に、セルを変更するための命令を発行するように更に構成される。
【０１２５】
代替的実施形態においては、第１の周波数レイヤの測定されたセルはプライマリセルであり、ターゲットセルはマルチキャリアネットワークにおけるセカンダリセルである。この代替的実施形態においては、処理回路１１０２は、セカンダリセルのカバレッジの評価に基づいて、マルチキャリア動作のためにセカンダリセルを設定するかを判定するように適合される。
【０１２６】
少なくとも２つの周波数レイヤを展開する無線通信ネットワークのためのＵＥの実施形態を、図１２におけるブロック図に示す。ＵＥは、周波数レイヤ間のセル変更をサポートし、アイドルモードにおいて、少なくとも２つの周波数レイヤの第１の周波数レイヤのセルに在圏し、第１の周波数レイヤのセルについての測定を実行するとともに少なくとも２つの周波数レイヤの第２の周波数レイヤのセルについての測定は除外するように構成される。ＵＥは、第１の周波数レイヤの少なくとも１つのセルについての測定を実行し、実行された測定の結果に基づいてＵＥの位置を判定するように構成される、メモリ１２５１及び処理回路１２５２を有する。処理回路１２５２はまた、判定された位置と、少なくとも２つの周波数レイヤに対するカバレッジマップとに基づいて、第２の周波数レイヤのターゲットセルのカバレッジを評価し、ターゲットセルのカバレッジの評価に基づいて、ターゲットセルへ変更するかを判定するように構成される。１つの実施形態において、処理回路１２５２は、判定された位置に対応する第２の周波数レイヤに対する信号強度または信号品質値をカバレッジマップから得ることにより、第２の周波数レイヤのターゲットセルのカバレッジを評価するように構成される。
【０１２７】
上記の議論からすると、上述の本発明の実施形態は、１つの周波数レイヤの未測定のセルからＵＥが利用可能なカバレッジを、他の周波数レイヤのセルの測定に基づいて判定するために、ＬＴＥのｅＮｏｄｅＢのような、ネットワークの中の１つ以上のノードにおいて実行される方法を含んでいることが理解されるだろう。これらの方法の種々の事例もまた、あるノードから別のノードへ、測定データまたはマッピングデータを通信するステップを、この場合もまた１つの周波数レイヤの未測定のセルからＵＥが利用可能なカバレッジを判定する目的で含んでもよい。上述のように、これらの方法の１つ以上は、信号強度測定、タイミング測定等を含む、移動体端末またはＵＥから受信した測定データにも基づいてもよく、代替的に、又は加えて、の少なくともいずれかで、よく聞こえる送信点のＵＥによる識別に依存してもよい。上述の技術及びそれらのサブプロセスは、それらの技術とそれらのサブプロセスが、本質的に互いに相容れないものでない限り、何れの組み合わせによっても使用可能であることが理解されるであろう。他の実施形態は、ＵＥで実行される同様の方法を含む。さらに他の実施形態は、上述の方法及び技術に対応する、基地局のような無線ノード装置およびＵＥ装置を含む。
【０１２８】
いくつかの場合、上述の方法は、本技術に関する少しの要素を図解する図１３に示されているもののような、ＵＥまたは基地局において実現される、無線送受信器装置に実装されるだろう。当然に、ネットワークベースの実施形態は、基地局の構成に限定される必要はなく、上述の技術を実行するように構成された他の無線ネットワークノード装置もまた予定されていることが理解されるであろう。
【０１２９】
図１３に示される装置は、無線回路２１０，およびベースバンド及び制御処理回路２２０を含む。無線回路２１０は、典型的には、ＬＴＥアドバンストに対する３ＧＰＰ標準のような特定の通信技術標準に従った公知の無線処理、および信号処理要素および技術を使用する受信器回路および送信器回路を含む。これらの回路の設計に関わる種々の詳細、および技術的トレードオフは公知であり、本発明の十分なる理解のために必要なものではないため、更なる詳細はここでは述べないこととする。
【０１３０】
ベースバンドおよび制御処理回路２２０は、１つ以上のマイクロプロセッサまたはマイクロコントローラ２３０、およびディジタル信号処理装置（ＤＳＰ）、特殊目的ディジタルロジック等を含みうるディジタルハードウェアを含む。マイクロプロセッサおよびディジタルハードウェアのいずれかまたは両方は、無線パラメータ２４４とともにメモリ２４０に記憶されたプログラムコード２４２を実行するように構成されてもよい。この場合も、ＵＥおよび無線基地局のためのベースバンド処理回路の設計に関わる種々の詳細および技術的トレードオフは、本発明の十分な理解に必要ではないため、ここでは更なる詳細について述べないことする。
【０１３１】
読み出し専用メモリ（ＲＯＭ）、ランダムアクセスメモリ、キャッシュメモリ、フラッシュメモリデバイス、光学記憶デバイスなどのような、１つまたは複数のタイプのメモリを含みうるメモリ回路２４０に記憶されている、プログラムコード２４２は、いくつかの実施形態において、１つ以上の電気通信プロトコルとデータ通信プロトコルとの少なくともいずれかを実行するためのプログラム命令、及び、ここで説明された１つ以上の技術を実行するための命令を含む。無線パラメータ２４４は、いくつかの実施形態において、これらの技術をサポートするための１つ以上の所定のテーブル又は他のデータを含んでもよい。
【０１３２】
本発明の実施形態のいくつかの実施例について、具体的な実施形態の添付図面を参照して、上で詳細に説明した。当然ながら、要素または技術の考えられる全ての組み合わせについて説明することは不可能であるため、本発明の必須の特徴から逸脱することなく、本発明がここで説明されたものとは別の方法で実装されうることが、当業者には理解されるであろう。
【図１ａ】
0006042416.tif 000002
【図１ｂ】
0006042416.tif 000003
【図２】
0006042416.tif 000004
【図３】
0006042416.tif 000005
【図４】
0006042416.tif 000006
【図５ａ】
0006042416.tif 000007
【図５ｂ】
0006042416.tif 000008
【図５ｃ】
0006042416.tif 000009
【図５ｄ】
0006042416.tif 000010
【図６ａ】
0006042416.tif 000011
【図６ｂ】
0006042416.tif 000012
【図７ａ】
0006042416.tif 000013
【図７ｂ】
0006042416.tif 000014
【図８ａ】
0006042416.tif 000015
【図８ｂ】
0006042416.tif 000016
【図９ａ】
0006042416.tif 000017
【図９ｂ】
0006042416.tif 000018
【図１０】
0006042416.tif 000019
【図１１】
0006042416.tif 000020
【図１２】
0006042416.tif 000021
【図１３】
0006042416.tif 000022